(57)【要約】  回路規模及び装置全体を大型化せずに、異なる通信方式の信号を同時に受信することができるとともに、製造コストを抑制することができる無線受信装置。この装置では、無線部（１５０）は、複数のアンテナ（１０１）及びアンテナ（１０２）により受信したテレビ放送信号の無線処理を行う。無線部（１５４）は、ＧＰＳ衛星から受信したＧＰＳ信号の無線処理を行う。ＩＦ部（１５１）は、無線処理したアンテナ（１０１）のテレビ放送信号を帯域制限及び増幅する。スイッチ（１２５）は、無線処理したアンテナ（１０２）のテレビ放送信号と無線部（１５４）が無線処理したＧＰＳ信号の何れか一方を選択する。ＩＦ部（１５５）は、スイッチ（１２５）及びスイッチ（１２６）が選択したテレビ放送信号またはＧＰＳ信号を帯域制限及び増幅する。
2010016165.tif 000002
【特許請求の範囲】
【請求項１】
複数のアンテナにより受信されたテレビ放送信号の無線処理を行う第１無線処理手段と、
ＧＰＳ衛星から受信されたＧＰＳ信号の無線処理を行う第２無線処理手段と、
前記複数のアンテナの内の一部のアンテナにより受信され、前記第１無線処理手段により無線処理された前記テレビ放送信号を増幅及び帯域制限する第１中間信号処理手段と、
前記複数のアンテナの内の前記一部のアンテナ以外のアンテナにより受信され、前記第１無線処理手段により無線処理された前記テレビ放送信号と前記第２無線処理手段により無線処理されたＧＰＳ信号の何れか一方を選択する第１選択手段と、
選択された前記テレビ放送信号または前記ＧＰＳ信号を増幅及び帯域制限する第２中間信号処理手段と、
前記第１中間信号処理手段及び前記第２中間信号処理手段が増幅及び帯域制限した前記テレビ放送信号または前記ＧＰＳ信号を復調する復調手段と、
を具備する無線受信装置。
【請求項２】
前記第２無線処理手段は、前記ＧＰＳ信号の無線処理を間欠的に行い、
前記第１選択手段は、前記第２無線処理手段の無線処理実行期間内に前記ＧＰＳ信号を選択し、前記第２無線処理手段の無線処理停止期間内に前記テレビ放送信号を選択する請求項１記載の無線受信装置。
【請求項３】
前記無線処理停止期間内において、前記複数のアンテナにより受信された前記テレビ放送信号の各々の受信品質を測定する測定手段と、
前記受信品質が最も良好なアンテナを記憶する記憶手段と、
前記第２無線処理手段が前記無線処理停止期間から前記無線処理実行期間に移行した際に、前記記憶手段に記憶されているアンテナにより受信された前記テレビ放送信号を選択する第２選択手段とを具備し、
前記第１中間信号処理手段は、前記第２選択手段により選択された前記テレビ放送信号を増幅及び帯域制限する請求項２記載の無線受信装置。
【請求項４】
前記第１中間信号処理手段は、前記増幅または前記帯域制限を複数の段数に分けて行い、
前記第２中間信号処理手段は、前記第１中間信号処理手段よりも少ない段数で前記増幅または前記帯域制限を行う請求項３記載の無線受信装置。
【発明の詳細な説明】
【技術分野】
【０００１】
本発明は、無線受信装置に関し、例えばディジタルテレビ放送信号とＧＰＳ信号を同時に受信する無線受信装置に関する。
【背景技術】
【０００２】
従来、ＧＰＳシステムと他の通信システムを結合した受信部を有し、スイッチによりＧＰＳシステムの信号受信用アンテナと他の通信システムの信号受信用アンテナを切り替える無線通信装置が知られている（例えば、特許文献１）。【０００３】
特許文献１によれば、ＧＰＳシステムの信号受信動作及び他の通信システムの信号受信動作に時間差を設けることにより、ＧＰＳシステムの受信回路と他の通信システムの受信回路とを共用することができる。【０００４】
また、従来、１つの放送局から送信された信号を複数のアンテナを用いてダイバーシチ受信するとともに、ダイバーシチ受信が不要な場合には、複数のアンテナの一部を他の放送局から送信された信号の受信用に利用する受信装置が知られている（例えば、特許文献２）。
【特許文献１】特開２００６−２３３１５号公報
【特許文献２】特開２００６−２７０３７８号公報
【発明の開示】
【発明が解決しようとする課題】
【０００５】
しかしながら、特許文献１においては、ＧＰＳシステムの信号と他の通信システムの信号とを同時に受信することができないという問題がある。また、特許文献２においては、復調回路が１つであるため、同じ通信方式の信号を同時に受信することは可能であるが、異なる通信方式の信号を同時に受信することはできないという問題がある。この場合、復調回路を複数設けることにより、異なる通信方式の信号を同時に受信することが可能である。しかし、復調回路を複数設けた場合、回路規模が大きくなり、装置全体の小型化を図ることが困難であるとともに、製造コストが増大するという問題がある。【０００６】
本発明の目的は、回路規模及び装置全体を大型化せずに、異なる通信方式の信号を同時に受信することができるとともに、製造コストを抑制することができる無線受信装置を提供することである。
【課題を解決するための手段】
【０００７】
本発明の無線受信装置は、複数のアンテナにより受信されたテレビ放送信号の無線処理を行う第１無線処理手段と、ＧＰＳ衛星から受信されたＧＰＳ信号の無線処理を行う第２無線処理手段と、前記複数のアンテナの内の一部のアンテナにより受信され、前記第１無線処理手段により無線処理された前記テレビ放送信号を増幅及び帯域制限する第１中間信号処理手段と、前記複数のアンテナの内の前記一部のアンテナ以外のアンテナにより受信され、前記第１無線処理手段により無線処理された前記テレビ放送信号と前記第２無線処理手段により無線処理されたＧＰＳ信号の何れか一方を選択する第１選択手段と、選択された前記テレビ放送信号または前記ＧＰＳ信号を増幅及び帯域制限する第２中間信号処理手段と、前記第１中間信号処理手段及び前記第２中間信号処理手段が増幅及び帯域制限した前記テレビ放送信号または前記ＧＰＳ信号を復調する復調手段と、を具備する構成を採る。
【発明の効果】
【０００８】
本発明によれば、回路規模及び装置全体を大型化せずに、異なる通信方式の信号を同時に受信することができるとともに、製造コストを抑制することができる。
【図面の簡単な説明】
【０００９】
【図１】本発明の実施の形態１に係るＤＴＶ放送信号をダイバーシチ受信する場合の無線受信装置の構成を示すブロック図
【図２】本発明の実施の形態１に係るＤＴＶ放送信号とＧＰＳ信号を同時に受信する場合の無線受信装置の構成を示すブロック図
【図３】本発明の実施の形態２に係るＤＴＶ放送信号とＧＰＳ信号を同時に受信する場合において、アンテナ切り替え前のＧＰＳ信号の受信期間中の無線受信装置の構成を示すブロック図
【図４】本発明の実施の形態２に係るＤＴＶ放送信号とＧＰＳ信号を同時に受信する場合において、ＧＰＳ信号の受信停止期間中の無線受信装置の構成を示すブロック図
【図５】本発明の実施の形態２に係るＤＴＶ放送信号とＧＰＳ信号を同時に受信する場合において、アンテナ切り替え後のＧＰＳ信号の受信期間中の無線受信装置の構成を示すブロック図
【図６】本発明の実施の形態３に係るＤＴＶ放送信号とＧＰＳ信号を同時に受信する場合において、アンテナ切り替え後のＧＰＳ信号の受信期間中の無線受信装置の構成を示すブロック図
【発明を実施するための最良の形態】
【００１０】
以下、本発明の実施の形態について、図面を参照して詳細に説明する。【００１１】
（実施の形態１）
図１は、本発明の実施の形態１に係る無線受信装置１００の構成を示すブロック図である。【００１２】
無線受信装置１００は、アンテナ１０１、アンテナ１０２、アンテナ１２１、スイッチ１２５、スイッチ１２６、スイッチ１３０、無線部１５０、ＩＦ部１５１、復調部１５２、復号部１５３、無線部１５４、ＩＦ部１５５及び制御部１５６から主に構成される。【００１３】
また、無線部１５０は、局部発振器１０３、高周波増幅器１０４、直交復調器１０５、高周波増幅器１０６及び直交復調器１０７を含む。【００１４】
また、ＩＦ部１５１は、ポリフェイズフィルタ１０８、フィルタ１０９及び低周波増幅器１１０を含む。【００１５】
また、復調部１５２は、ディジタルテレビ（以下「ＤＴＶ」と記載する）−ＯＦＤＭ復調部１１１及びＧＰＳ復調部１１２を含む。【００１６】
また、復号部１５３は、ＤＴＶ復号部１１３及びＧＰＳ復号部１１４を含む。【００１７】
また、無線部１５４は、局部発振器１２２、高周波増幅器１２３及び直交復調器１２４を含む。【００１８】
また、ＩＦ部１５５は、ポリフェイズフィルタ１２７、フィルタ１２８及び低周波増幅器１２９を含む。【００１９】
また、制御部１５６は、ＤＴＶ／ＧＰＳ切替え制御部１３１を含む。【００２０】
次に、無線受信装置１００の各部の構成を、図１を用いて詳細に説明する。【００２１】
図１は、ＤＴＶ放送信号をダイバーシチ受信する場合の無線受信装置１００の構成を示すブロック図である。【００２２】
アンテナ１０１は、ＤＴＶ放送信号を受信し、受信したＤＴＶ放送信号を高周波増幅器１０４へ出力する。【００２３】
アンテナ１０２は、ＤＴＶ放送信号を受信し、受信信号を高周波増幅器１０６へ出力する。また、アンテナ１０２は、アンテナ１０１から所定の距離だけ離間して配置されることにより、アンテナ１０１と共にダイバーシチ受信用のアンテナとして機能する。【００２４】
局部発振器１０３は、例えば位相負帰還制御系（ＰＬＬ：Phase Locked Loop）で制御される電圧制御発振器（ＶＣＯ：Voltage Controlled Oscillator）を用いた周波数シンセサイザ等の発振回路であり、局部発振信号を直交復調器１０５及び直交復調器１０７へ出力する。【００２５】
高周波増幅器１０４は、アンテナ１０１から入力した受信信号を増幅して直交復調器１０５へ出力する。【００２６】
直交復調器１０５は、高周波増幅器１０４から入力した受信信号を、局部発振器１０３から入力した局部発振信号で直交復調して、Ｉチャネル信号とＱチャネル信号を生成する。そして、直交復調器１０５は、生成したＩチャネル信号とＱチャネル信号をポリフェイズフィルタ１０８へ出力する。【００２７】
高周波増幅器１０６は、アンテナ１０２から入力した受信信号を増幅して直交復調器１０７へ出力する。【００２８】
直交復調器１０７は、高周波増幅器１０６から入力した受信信号を、局部発振器１０３から入力した局部発振信号で直交復調して、Ｉチャネル信号とＱチャネル信号を生成する。そして、直交復調器１０７は、生成したＩチャネル信号をスイッチ１２５へ出力し、生成したＱチャネル信号をスイッチ１２６へ出力する。ここで、無線処理とは、高周波増幅器１０４、直交復調器１０５、高周波増幅器１０６及び直交復調器１０７における上記の一連の処理を意味する。【００２９】
ポリフェイズフィルタ１０８は、直交復調器１０５から入力したＩチャネル信号とＱチャネル信号からなる２系列の信号を１系列の信号に合成して、フィルタ１０９へ出力する。【００３０】
フィルタ１０９は、ポリフェイズフィルタ１０８から入力した信号を帯域制限して低周波増幅器１１０へ出力する。【００３１】
低周波増幅器１１０は、フィルタ１０９から入力した信号を増幅してＤＴＶ−ＯＦＤＭ復調部１１１へ出力する。【００３２】
ＤＴＶ−ＯＦＤＭ復調部１１１は、低周波増幅器１１０から入力した信号をＯＦＤＭ復調してＤＴＶ復号部１１３へ出力する。また、ＤＴＶ−ＯＦＤＭ復調部１１１は、スイッチ１３０から入力したＤＴＶ放送信号をＯＦＤＭ復調するとともに、低周波増幅器１１０から入力したＤＴＶ放送信号とダイバーシチ合成してＤＴＶ復号部１１３へ出力する。ここで、ＯＦＤＭ復調とは、ＤＴＶ−ＯＦＤＭ復調部１１１に入力した信号をフーリエ変換することにより周波数軸信号から時間軸信号に変換することを意味する。【００３３】
ＧＰＳ復調部１１２は、スイッチ１３０から入力したＧＰＳ衛星の受信信号を復調処理してＧＰＳ復号部１１４へ出力する。【００３４】
ＤＴＶ復号部１１３は、ＤＴＶ−ＯＦＤＭ復調部１１１から入力した復調後の信号を復号してＤＴＶ放送データを取得する。そして、ＤＴＶ復号部１１３は、取得したＤＴＶ放送データを出力する。ここで、ＤＴＶ復号部１１３から出力されるＤＴＶ放送データは、図示しない表示部にＤＴＶ放送の画像を表示するためのデータである。【００３５】
ＧＰＳ復号部１１４は、ＧＰＳ復調部１１２から入力した復調後の信号を復号して位置データを取得する。そして、ＧＰＳ復号部１１４は、取得した位置データを出力する。ここで、ＧＰＳ復号部１１４から出力される位置データは、無線受信装置１００の現在位置を示すデータである。【００３６】
アンテナ１２１は、ＧＰＳ衛星から送信されたＧＰＳ信号を受信し、受信信号を高周波増幅器１２３へ出力する。【００３７】
局部発振器１２２は、例えば位相負帰還制御系（ＰＬＬ：Phase Locked Loop）で制御される電圧制御発振器（ＶＣＯ：Voltage Controlled Oscillator）を用いた周波数シンセサイザ等の発振回路であり、局部発振信号を直交復調器１２４へ出力する。【００３８】
高周波増幅器１２３は、アンテナ１２１から入力した受信信号を増幅して直交復調器１２４へ出力する。【００３９】
直交復調器１２４は、高周波増幅器１２３から入力した受信信号を、局部発振器１２２から入力した局部発振信号で直交復調して、Ｉチャネル信号とＱチャネル信号を生成する。そして、直交復調器１２４は、生成したＩチャネル信号をスイッチ１２５へ出力し、生成したＱチャネル信号をスイッチ１２６へ出力する。【００４０】
スイッチ１２５は、３つの端子１２５ａ、１２５ｂ及び１２５ｃを有する。また、スイッチ１２５は、ＤＴＶ／ＧＰＳ切替え制御部１３１の制御に従って、直交復調器１０７から入力したＩチャネル信号をポリフェイズフィルタ１２７へ出力する場合と、直交復調器１２４から入力したＩチャネル信号をポリフェイズフィルタ１２７へ出力する場合とを切り替える。具体的には、スイッチ１２５は、ＤＴＶ／ＧＰＳ切替え制御部１３１の制御に従って端子１２５ｂと端子１２５ｃを接続して、直交復調器１０７から出力されたＩチャネル信号をポリフェイズフィルタ１２７へ出力する。また、スイッチ１２５は、ＤＴＶ／ＧＰＳ切替え制御部１３１の制御に従って端子１２５ａと端子１２５ｂを接続して、直交復調器１２４から出力されたＩチャネル信号をポリフェイズフィルタ１２７へ出力する。【００４１】
スイッチ１２６は、３つの端子１２６ａ、１２６ｂ及び１２６ｃを有する。また、スイッチ１２６は、ＤＴＶ／ＧＰＳ切替え制御部１３１の制御に従って、直交復調器１０７から入力したＱチャネル信号をポリフェイズフィルタ１２７へ出力する場合と、直交復調器１２４から入力したＱチャネル信号をポリフェイズフィルタ１２７へ出力する場合とを切り替える。具体的には、スイッチ１２６は、ＤＴＶ／ＧＰＳ切替え制御部１３１の制御に従って端子１２６ｂと端子１２６ｃを接続して、直交復調器１０７から出力されたＱチャネル信号をポリフェイズフィルタ１２７へ出力する。また、スイッチ１２６は、ＤＴＶ／ＧＰＳ切替え制御部１３１の制御に従って端子１２６ａと端子１２６ｂを接続して、直交復調器１２４から出力されたＱチャネル信号をポリフェイズフィルタ１２７へ出力する。【００４２】
ポリフェイズフィルタ１２７は、スイッチ１２５から入力したＩチャネル信号とスイッチ１２６から入力したＱチャネル信号からなる２系列の信号を１系列の信号に合成して、フィルタ１２８へ出力する。【００４３】
フィルタ１２８は、ポリフェイズフィルタ１２７から入力した信号を帯域制限して低周波増幅器１２９へ出力する。【００４４】
低周波増幅器１２９は、フィルタ１２８から入力した信号を増幅してスイッチ１３０へ出力する。【００４５】
スイッチ１３０は、３つの端子１３０ａ、１３０ｂ及び１３０ｃを有する。また、スイッチ１３０は、ＤＴＶ／ＧＰＳ切替え制御部１３１の制御に従って、低周波増幅器１２９から入力した信号をＤＴＶ−ＯＦＤＭ復調部１１１へ出力する場合と、低周波増幅器１２９から入力した信号をＧＰＳ復調部１１２へ出力する場合とを切り替える。具体的には、スイッチ１３０は、ＤＴＶ／ＧＰＳ切替え制御部１３１の制御に従って端子１３０ａと端子１３０ｃを接続して、低周波増幅器１２９から出力された信号をＤＴＶ−ＯＦＤＭ復調部１１１へ出力する。また、スイッチ１３０は、ＤＴＶ／ＧＰＳ切替え制御部１３１の制御に従って端子１３０ａと端子１３０ｂを接続して、低周波増幅器１２９から出力された信号をＧＰＳ復調部１１２へ出力する。【００４６】
ＤＴＶ／ＧＰＳ切替え制御部１３１は、ＧＰＳ信号の受信の有無を検出し、検出結果に応じて、スイッチ１２５、スイッチ１２６及びスイッチ１３０の切り替えを指示する。ＤＴＶ／ＧＰＳ切替え制御部１３１は、例えば、ＧＰＳ信号の受信操作開始のボタン（図示省略）操作を検出することにより、ＧＰＳ信号の受信有りを検出し、ＧＰＳ信号の受信操作終了のボタン（図示省略）操作を検出することにより、ＧＰＳ信号の受信無しを検出する。【００４７】
また、ＤＴＶ／ＧＰＳ切替え制御部１３１は、ＧＰＳ信号の受信有りを検出した場合に、スイッチ１２５に対して端子１２５ａと端子１２５ｂを接続することを指示し、スイッチ１２６に対して端子１２６ａと端子１２６ｂを接続することを指示するとともに、スイッチ１３０に対して端子１３０ａと端子１３０ｂを接続することを指示する。一方、ＤＴＶ／ＧＰＳ切替え制御部１３１は、ＧＰＳ信号の受信無しを検出した場合に、スイッチ１２５に対して端子１２５ｂと端子１２５ｃを接続することを指示し、スイッチ１２６に対して端子１２６ｂと端子１２６ｃを接続することを指示するとともに、スイッチ１３０に対して端子１３０ａと端子１３０ｃを接続することを指示する。【００４８】
次に、無線受信装置１００の動作について、図１及び図２を用いて説明する。【００４９】
図２は、ＤＴＶ放送信号とＧＰＳ信号を同時に受信する場合の無線受信装置１００の構成を示すブロック図である。なお、図２は、図１と同一構成であるので、図１と同一番号を付してその説明を省略する。【００５０】
最初に、ＤＴＶ放送信号をダイバーシチ受信する場合の無線受信装置１００の動作について、図１を用いて説明する。【００５１】
アンテナ１０１は、ＤＴＶ放送信号を受信する。【００５２】
次に、高周波増幅器１０４は、アンテナ１０１で受信した受信信号を増幅する。【００５３】
次に、直交復調器１０５は、増幅された受信信号を局部発振信号で直交復調して、Ｉチャネル信号とＱチャネル信号を生成する。【００５４】
次に、ポリフェイズフィルタ１０８は、Ｉチャネル信号とＱチャネル信号の２系統の信号を１系統の信号に合成する。【００５５】
次に、フィルタ１０９は、合成した信号を帯域制限する。【００５６】
次に、低周波増幅器１１０は、帯域制限した信号を増幅する。【００５７】
一方、アンテナ１０２は、ＤＴＶ放送信号を受信する。【００５８】
次に、高周波増幅器１０６は、アンテナ１０２で受信した受信信号を増幅する。【００５９】
次に、直交復調器１０７は、増幅された受信信号を局部発振信号で直交復調して、Ｉチャネル信号とＱチャネル信号を生成する。【００６０】
次に、スイッチ１２５は、ＤＴＶ／ＧＰＳ切替え制御部１３１の指示により端子１２５ｃと端子１２５ｂが閉じた状態であり、これにより、直交復調器１０７で生成されたＩチャネル信号はスイッチ１２５の端子１２５ｃ及び端子１２５ｂを経由してポリフェイズフィルタ１２７へ入力する。【００６１】
また、スイッチ１２６は、ＤＴＶ／ＧＰＳ切替え制御部１３１の指示により端子１２６ｃと端子１２６ｂが閉じた状態であり、これにより、直交復調器１０７で生成されたＱチャネル信号はスイッチ１２６の端子１２６ｃ及び端子１２６ｂを経由してポリフェイズフィルタ１２７へ入力する。【００６２】
次に、ポリフェイズフィルタ１２７は、Ｉチャネル信号とＱチャネル信号の２系統の信号を１系統の信号に合成する。【００６３】
次に、フィルタ１２８は、合成した信号を帯域制限する。【００６４】
次に、低周波増幅器１２９は、帯域制限した信号を増幅する。【００６５】
次に、スイッチ１３０は、ＤＴＶ／ＧＰＳ切替え制御部１３１の指示により端子１３０ａと端子１３０ｃが閉じた状態であり、これにより、低周波増幅器１２９で増幅された信号はスイッチ１３０の端子１３０ａ及び端子１３０ｃを経由してＤＴＶ−ＯＦＤＭ復調部１１１へ入力する。【００６６】
次に、ＤＴＶ−ＯＦＤＭ復調部１１１は、低周波増幅器１１０から入力した信号と、スイッチ１３０から入力した信号をダイバーシチ合成するとともにＯＦＤＭ復調する。【００６７】
次に、ＤＴＶ復号部１１３は、ＯＦＤＭ復調した信号を復号してＤＴＶ放送データを取得する。【００６８】
以上で、ＤＴＶ放送信号をダイバーシチ受信する場合の無線受信装置１００の動作の説明を終了する。【００６９】
次に、ＤＴＶ放送信号とＧＰＳ信号を同時に受信する場合の無線受信装置１００の動作について、図２を用いて説明する。【００７０】
最初に、アンテナ１０１は、ＤＴＶ放送信号を受信する。【００７１】
次に、高周波増幅器１０４は、アンテナ１０１で受信した受信信号を増幅する。【００７２】
次に、直交復調器１０５は、増幅された受信信号を局部発振信号で直交復調して、Ｉチャネル信号とＱチャネル信号を生成する。【００７３】
次に、ポリフェイズフィルタ１０８は、Ｉチャネル信号とＱチャネル信号の２系統の信号を１系統の信号に合成する。【００７４】
次に、フィルタ１０９は、合成した信号を帯域制限する。【００７５】
次に、低周波増幅器１１０は、帯域制限した信号を増幅する。【００７６】
また、アンテナ１０２は、ＤＴＶ放送信号を受信する。【００７７】
次に、高周波増幅器１０６は、アンテナ１０２で受信した受信信号を増幅する。【００７８】
次に、直交復調器１０７は、増幅された受信信号を局部発振信号で直交復調して、Ｉチャネル信号とＱチャネル信号を生成する。【００７９】
ここで、直交復調器１０７が生成したＩチャネル信号はスイッチ１２５に出力される。しかしながら、スイッチ１２５の端子１２５ｂと端子１２５ｃは開いた状態であるため、Ｉチャネル信号がポリフェイズフィルタ１２７に入力することはない。この際、消費電力削減のため、高周波増幅器１０６と直交復調器１０７の電源をオフにしても良い。【００８０】
また、同様に、直交復調器１０７が生成したＱチャネル信号はスイッチ１２６に出力される。しかしながら、スイッチ１２６の端子１２６ｂと端子１２６ｃは開いた状態であるため、Ｑチャネル信号がポリフェイズフィルタ１２７に入力することはない。この際、消費電力削減のため、高周波増幅器１０６と直交復調器１０７の電源をオフにしても良い。【００８１】
一方、アンテナ１２１は、ＧＰＳ衛星から送信されたＧＰＳ信号を受信する。【００８２】
次に、高周波増幅器１２３は、アンテナ１２１で受信した受信信号を増幅する。【００８３】
次に、直交復調器１２４は、増幅された受信信号を局部発振信号で直交復調して、Ｉチャネル信号とＱチャネル信号を生成する。【００８４】
次に、スイッチ１２５は、ＤＴＶ／ＧＰＳ切替え制御部１３１の指示により端子１２５ａと端子１２５ｂが閉じた状態であり、これにより、直交復調器１２４で生成されたＩチャネル信号はスイッチ１２５の端子１２５ａ及び端子１２５ｂを経由してポリフェイズフィルタ１２７へ入力する。【００８５】
また、スイッチ１２６は、ＤＴＶ／ＧＰＳ切替え制御部１３１の指示により端子１２６ａと端子１２６ｂが閉じた状態であり、これにより、直交復調器１２４で生成されたＱチャネル信号はスイッチ１２６の端子１２６ａ及び端子１２６ｂを経由してポリフェイズフィルタ１２７へ入力する。【００８６】
次に、ポリフェイズフィルタ１２７は、Ｉチャネル信号とＱチャネル信号の２系統の信号を１系統の信号に合成する。【００８７】
次に、フィルタ１２８は、合成した信号を帯域制限する。【００８８】
次に、低周波増幅器１２９は、帯域制限した信号を増幅する。【００８９】
次に、スイッチ１３０は、ＤＴＶ／ＧＰＳ切替え制御部１３１の指示により端子１３０ａと端子１３０ｂが閉じた状態であり、これにより、低周波増幅器１２９で増幅された信号はスイッチ１３０の端子１３０ａ及び端子１３０ｂを経由してＧＰＳ復調部１１２に入力する。【００９０】
次に、ＤＴＶ−ＯＦＤＭ復調部１１１は、低周波増幅器１１０から入力した信号をＯＦＤＭ復調する。【００９１】
次に、ＤＴＶ復号部１１３は、ＯＦＤＭ復調した信号を復号してＤＴＶ放送データを取得する。【００９２】
また、ＧＰＳ復調部１１２は、スイッチ１３０から入力した信号を復調する。【００９３】
次に、ＧＰＳ復号部１１４は、復調した信号を復号して位置データを取得する。【００９４】
このように、本実施の形態によれば、回路規模及び装置全体を大型化せずに、異なる通信方式の信号を同時に受信することができるとともに、製造コストを抑制することができる。また、本実施の形態によれば、ＧＰＳ信号を受信しない場合には、スイッチの切り替え制御により、ＤＴＶ放送信号をダイバーシチ受信することができるので、ＤＴＶ放送の画像を劣化させることなく表示することができる。【００９５】
（実施の形態２）
図３は、本発明の実施の形態２に係る無線受信装置３００の構成を示すブロック図である。【００９６】
図３に示す無線受信装置３００は、図１に示す実施の形態１に係る無線受信装置１００に対して、スイッチ３０１、スイッチ３０２、スリープ制御部３０３、受信品質測定部３０４及びアンテナ切替部３０５を追加する。なお、図３において、図１と同一構成である部分には同一の符号を付してその説明を省略する。【００９７】
無線受信装置３００は、アンテナ１０１、アンテナ１０２、アンテナ１２１、スイッチ１２５、スイッチ１２６、スイッチ１３０、ＩＦ部１５１、復調部１５２、復号部１５３、無線部１５４、ＩＦ部１５５、無線部３５１、制御部３５２、受信品質測定部３０４及びアンテナ切替部３０５から主に構成される。【００９８】
無線部３５１は、局部発振器１０３、高周波増幅器１０４、直交復調器１０５、高周波増幅器１０６、直交復調器１０７、スイッチ３０１及びスイッチ３０２を含む。【００９９】
また、制御部３５２は、ＤＴＶ／ＧＰＳ切替え制御部１３１及びスリープ制御部３０３を含む。【０１００】
次に、無線受信装置１００の各部の構成を、図１を用いて詳細に説明する。【０１０１】
高周波増幅器１０４は、アンテナ１０１から入力した受信信号を増幅してスイッチ３０１へ出力する。【０１０２】
スイッチ３０１は、３つの端子３０１ａ、３０１ｂ及び３０１ｃを有する。また、スイッチ３０１は、アンテナ切替部３０５の制御に従って、高周波増幅器１０４から入力した受信信号を直交復調器１０５へ出力する場合と、スイッチ３０２から入力した受信信号を直交復調器１０５へ出力する場合とを切り替える。具体的には、スイッチ３０１は、アンテナ切替部３０５の制御に従って端子３０１ａと端子３０１ｃを接続して、高周波増幅器１０４から出力された受信信号を直交復調器１０５へ出力する。また、スイッチ３０１は、アンテナ切替部３０５の制御に従って端子３０１ｂと端子３０１ｃを接続して、スイッチ３０２から出力された受信信号を直交復調器１０５へ出力する。【０１０３】
直交復調器１０５は、スイッチ３０１から入力した受信信号を、局部発振器１０３から入力した局部発振信号で直交復調して、Ｉチャネル信号とＱチャネル信号を生成する。そして、直交復調器１０５は、生成したＩチャネル信号とＱチャネル信号をポリフェイズフィルタ１０８へ出力する。【０１０４】
高周波増幅器１０６は、アンテナ１０２から入力した受信信号を増幅してスイッチ３０２へ出力する。【０１０５】
スイッチ３０２は、３つの端子３０２ａ、３０２ｂ及び３０２ｃを有する。また、スイッチ３０２は、アンテナ切替部３０５の制御に従って、高周波増幅器１０６から入力した受信信号を直交復調器１０７へ出力する場合と、高周波増幅器１０６から入力した受信信号をスイッチ３０１へ出力する場合とを切り替える。具体的には、スイッチ３０２は、アンテナ切替部３０５の制御に従って端子３０２ａと端子３０２ｂを接続して、高周波増幅器１０６から出力された受信信号を直交復調器１０７へ出力する。また、スイッチ３０２は、アンテナ切替部３０５の制御に従って端子３０２ａと端子３０２ｃを接続して、高周波増幅器１０６から出力された受信信号をスイッチ３０１へ出力する。【０１０６】
直交復調器１０７は、スイッチ３０２から入力した受信信号を、局部発振器１０３から入力した局部発振信号で直交復調して、Ｉチャネル信号とＱチャネル信号を生成する。そして、直交復調器１０７は、生成したＩチャネル信号をスイッチ１２５へ出力し、生成したＱチャネル信号をスイッチ１２６へ出力する。【０１０７】
局部発振器１２２は、例えば位相負帰還制御系（ＰＬＬ：Phase Locked Loop）で制御される電圧制御発振器（ＶＣＯ：Voltage Controlled Oscillator）を用いた周波数シンセサイザ等の発振回路であり、局部発振信号を直交復調器１２４へ出力する。また、局部発振器１２２は、スリープ制御部３０３の制御に従って間欠的に動作する。【０１０８】
高周波増幅器１２３は、アンテナ１２１から入力した受信信号を増幅して直交復調器１２４へ出力する。また、高周波増幅器１２３は、スリープ制御部３０３の制御に従って間欠的に動作する。【０１０９】
直交復調器１２４は、高周波増幅器１２３から入力した受信信号を、局部発振器１２２から入力した局部発振信号で直交復調して、Ｉチャネル信号とＱチャネル信号を生成する。そして、直交復調器１２４は、生成したＩチャネル信号をスイッチ１２５へ出力し、生成したＱチャネル信号をスイッチ１２６へ出力する。また、直交復調器１２４は、スリープ制御部３０３の制御に従って間欠的に動作する。なお、本実施の形態において、局部発振器１２２、高周波増幅器１２３及び直交復調器１２４の全てを間欠的に動作させたが、本発明はこれに限らず、局部発振器１２２、高周波増幅器１２３及び直交復調器１２４の何れか２つまたは１つを間欠的に動作させても良い。【０１１０】
スリープ制御部３０３は、例えばタイマを内蔵し、タイマで計測した所定時間だけ無線部１５４が間欠的に動作して間欠的に無線処理を行うように、無線部１５４を制御する。また、スリープ制御部３０３は、無線部１５４の動作を停止させるタイミングをＤＴＶ／ＧＰＳ切替え制御部１３１に通知する。【０１１１】
ＤＴＶ／ＧＰＳ切替え制御部１３１は、スリープ制御部３０３から受け取った無線部１５４の動作を停止させるタイミングの通知に基づいて、スイッチ１２５、スイッチ１２６及びスイッチ１３０の切り替えを制御する。具体的には、ＤＴＶ／ＧＰＳ切替え制御部１３１は、無線部１５４において無線処理を行う期間である無線処理実行期間内において、直交復調器１２４から出力される受信信号がポリフェイズフィルタ１２７に入力するとともに、直交復調器１０７から出力される受信信号がポリフェイズフィルタ１２７に入力しないようにスイッチ１２５及びスイッチ１２６の切り替えを制御する。また、ＤＴＶ／ＧＰＳ切替え制御部１３１は、無線部１５４において無線処理を停止する期間である無線処理停止期間内において、直交復調器１０７から出力される受信信号がポリフェイズフィルタ１２７に入力するとともに、直交復調器１２４から出力される受信信号がポリフェイズフィルタ１２７に入力しないようにスイッチ１２５及びスイッチ１２６の切り替えを制御する。なお、無線処理実行期間は、ＧＰＳ信号の受信期間と同一タイミングであり、無線処理停止期間は、ＧＰＳ信号の受信停止期間と同一タイミングである。【０１１２】
低周波増幅器１１０は、フィルタ１０９から入力した信号を増幅してＤＴＶ−ＯＦＤＭ復調部１１１及び受信品質測定部３０４へ出力する。【０１１３】
低周波増幅器１２９は、フィルタ１２８から入力した信号を増幅してスイッチ１３０及び受信品質測定部３０４へ出力する。【０１１４】
受信品質測定部３０４は、低周波増幅器１１０から入力した信号の受信品質を測定するとともに、低周波増幅器１２９から入力した信号の受信品質を測定する。そして、受信品質測定部３０４は、測定結果をアンテナ切替部３０５へ出力する。【０１１５】
アンテナ切替部３０５は、受信品質測定部３０４から入力した測定結果に基づいて、スイッチ３０１及びスイッチ３０２の切り替えを制御する。具体的には、アンテナ切替部３０５は、低周波増幅器１１０から入力した信号の受信品質が低周波増幅器１２９から入力した信号の受信品質よりも良好な場合には、スイッチ３０１の端子３０１ａと端子３０１ｃを閉じた状態にし、スイッチ３０２の端子３０２ａと端子３０２ｂを閉じた状態にする。また、アンテナ切替部３０５は、低周波増幅器１２９から入力した信号の受信品質が低周波増幅器１１０から入力した信号の受信品質よりも良好な場合には、スイッチ３０１の端子３０１ｂと端子３０１ｃを閉じた状態にし、スイッチ３０２の端子３０２ａと端子３０２ｃを閉じた状態にする。【０１１６】
次に、無線受信装置３００の動作について説明する。【０１１７】
最初に、ＤＴＶ放送信号とＧＰＳ信号を同時に受信する場合において、ＧＰＳ信号を間欠的に受信する際のＧＰＳ信号の受信期間中の無線受信装置３００の動作について、図３を用いて説明する。【０１１８】
まず、アンテナ１０１は、ＤＴＶ放送信号を受信する。【０１１９】
次に、高周波増幅器１０４は、アンテナ１０１で受信した受信信号を増幅する。【０１２０】
また、スイッチ３０１は、アンテナ切替部３０５の制御により端子３０１ａと端子３０１ｃが閉じた状態である。これにより、高周波増幅器１０４で増幅された受信信号は、スイッチ３０１の端子３０１ａ及び端子３０１ｃを経由して直交復調器１０５へ入力する。【０１２１】
次に、直交復調器１０５は、受信信号を局部発振信号で直交復調して、Ｉチャネル信号とＱチャネル信号を生成する。【０１２２】
次に、ポリフェイズフィルタ１０８は、Ｉチャネル信号とＱチャネル信号の２系統の信号を１系統の信号に合成する。【０１２３】
次に、フィルタ１０９は、合成した信号を帯域制限する。【０１２４】
次に、低周波増幅器１１０は、帯域制限した信号を増幅する。【０１２５】
次に、ＤＴＶ−ＯＦＤＭ復調部１１１は、低周波増幅器１１０から入力した信号をＯＦＤＭ復調する。【０１２６】
次に、ＤＴＶ復号部１１３は、ＯＦＤＭ復調した信号を復号してＤＴＶ放送データを取得する。【０１２７】
また、アンテナ１０２は、ＤＴＶ放送信号を受信する。【０１２８】
次に、高周波増幅器１０６は、アンテナ１０２で受信した受信信号を増幅する。【０１２９】
次に、スイッチ３０２は、アンテナ切替部３０５の制御により端子３０２ａと端子３０２ｂが閉じた状態であり、これにより、高周波増幅器１０６で増幅された受信信号はスイッチ３０２の端子３０２ａ及び端子３０２ｂを経由して直交復調器１０７へ入力する。【０１３０】
次に、直交復調器１０７は、増幅された受信信号を局部発振信号で直交復調して、Ｉチャネル信号とＱチャネル信号を生成する。【０１３１】
ここで、直交復調器１０７が生成したＩチャネル信号はスイッチ１２５に出力される。しかしながら、スイッチ１２５の端子１２５ｂと端子１２５ｃは開いた状態であるため、Ｉチャネル信号がポリフェイズフィルタ１２７に入力することはない。この際、消費電力削減のため、高周波増幅器１０６と直交復調器１０７の電源をオフにしても良い。【０１３２】
また、同様に、直交復調器１０７が生成したＱチャネル信号はスイッチ１２６に出力される。しかしながら、スイッチ１２６の端子１２６ｂと端子１２６ｃは開いた状態であるため、Ｑチャネル信号がポリフェイズフィルタ１２７に入力することはない。この際、消費電力削減のため、高周波増幅器１０６と直交復調器１０７の電源をオフにしても良い。【０１３３】
一方、アンテナ１２１は、ＧＰＳ衛星から送信されたＧＰＳ信号を受信する。【０１３４】
次に、高周波増幅器１２３は、アンテナ１２１で受信した受信信号を増幅する。【０１３５】
次に、直交復調器１２４は、増幅された受信信号を局部発振信号で直交復調して、Ｉチャネル信号とＱチャネル信号を生成する。【０１３６】
次に、スイッチ１２５は、ＤＴＶ／ＧＰＳ切替え制御部１３１の指示により端子１２５ａと端子１２５ｂが閉じた状態であり、これにより、直交復調器１２４で生成されたＩチャネル信号はスイッチ１２５の端子１２５ａ及び端子１２５ｂを経由してポリフェイズフィルタ１２７へ入力する。【０１３７】
また、スイッチ１２６は、ＤＴＶ／ＧＰＳ切替え制御部１３１の指示により端子１２６ａと端子１２６ｂが閉じた状態であり、これにより、直交復調器１２４で生成されたＱチャネル信号はスイッチ１２６の端子１２６ａ及び端子１２６ｂを経由してポリフェイズフィルタ１２７へ入力する。【０１３８】
次に、ポリフェイズフィルタ１２７は、Ｉチャネル信号とＱチャネル信号の２系統の信号を１系統の信号に合成する。【０１３９】
次に、フィルタ１２８は、合成した信号を帯域制限する。【０１４０】
次に、低周波増幅器１２９は、帯域制限した信号を増幅する。【０１４１】
また、スイッチ１３０は、ＤＴＶ／ＧＰＳ切替え制御部１３１の指示により端子１３０ａと端子１３０ｂが閉じた状態である。これにより、低周波増幅器１２９で増幅された信号は、スイッチ１３０の端子１３０ａ及び端子１３０ｂを経由してＧＰＳ復調部１１２に入力する。【０１４２】
また、ＧＰＳ復調部１１２は、スイッチ１３０から入力した信号を復調する。【０１４３】
次に、ＧＰＳ復号部１１４は、復調した信号を復号して位置データを取得する。【０１４４】
以上で、図３を用いた無線受信装置３００の動作の説明を終了する。【０１４５】
次に、ＤＴＶ放送信号とＧＰＳ信号を同時に受信する場合において、ＧＰＳ信号を間欠的に受信する際のＧＰＳ信号の受信停止期間中の無線受信装置３００の動作について、図４を用いて説明する。【０１４６】
図４は、ＤＴＶ放送信号とＧＰＳ信号を同時に受信する場合において、ＧＰＳ信号を間欠的に受信する際のＧＰＳ信号の受信停止期間中の無線受信装置３００の構成を示すブロック図である。なお、図４は図３と同一構成であるので、図４において、図３と同一構成の部分に同一番号を付してその説明を省略する。【０１４７】
図４において、無線受信装置３００は、ＧＰＳ信号の受信停止期間中にＤＴＶ放送信号をダイバー受信し、受信品質の良好なアンテナを決定する動作を行う。【０１４８】
まず、アンテナ１０１は、ＤＴＶ放送信号を受信する。【０１４９】
次に、高周波増幅器１０４は、アンテナ１０１で受信した受信信号を増幅する。【０１５０】
次に、スイッチ３０１は、アンテナ切替部３０５の制御により端子３０１ａと端子３０１ｃが閉じた状態であり、これにより、高周波増幅器１０４で増幅された受信信号はスイッチ３０１の端子３０１ａ及び端子３０１ｃを経由して直交復調器１０５へ入力する。【０１５１】
次に、直交復調器１０５は、受信信号を局部発振信号で直交復調して、Ｉチャネル信号とＱチャネル信号を生成する。【０１５２】
次に、ポリフェイズフィルタ１０８は、Ｉチャネル信号とＱチャネル信号の２系統の信号を１系統の信号に合成する。【０１５３】
次に、フィルタ１０９は、合成した信号を帯域制限する。【０１５４】
次に、低周波増幅器１１０は、帯域制限した信号を増幅する。【０１５５】
次に、ＤＴＶ−ＯＦＤＭ復調部１１１は、低周波増幅器１１０から入力した信号と、スイッチ１３０から入力した信号をダイバーシチ合成するとともにＯＦＤＭ復調する。【０１５６】
次に、ＤＴＶ復号部１１３は、ＯＦＤＭ復調した信号を復号してＤＴＶ放送データを取得する。【０１５７】
また、アンテナ１０２は、ＤＴＶ放送信号を受信する。【０１５８】
次に、高周波増幅器１０６は、アンテナ１０２で受信した受信信号を増幅する。【０１５９】
また、スイッチ３０２は、アンテナ切替部３０５の制御により端子３０２ａと端子３０２ｂが閉じた状態である。これにより、高周波増幅器１０６で増幅された受信信号は、スイッチ３０２の端子３０２ａ及び端子３０２ｂを経由して直交復調器１０７へ入力する。【０１６０】
次に、直交復調器１０７は、増幅された受信信号を局部発振信号で直交復調して、Ｉチャネル信号とＱチャネル信号を生成する。【０１６１】
次に、スイッチ１２５は、ＤＴＶ／ＧＰＳ切替え制御部１３１の指示により端子１２５ｃと端子１２５ｂが閉じた状態であり、これにより、直交復調器１０７で生成されたＩチャネル信号はスイッチ１２５の端子１２５ｃ及び端子１２５ｂを経由してポリフェイズフィルタ１２７へ入力する。【０１６２】
また、スイッチ１２６は、ＤＴＶ／ＧＰＳ切替え制御部１３１の指示により端子１２６ｃと端子１２６ｂが閉じた状態である。これにより、直交復調器１０７で生成されたＱチャネル信号は、スイッチ１２６の端子１２６ｃ及び端子１２６ｂを経由してポリフェイズフィルタ１２７へ入力する。【０１６３】
次に、ポリフェイズフィルタ１２７は、Ｉチャネル信号とＱチャネル信号の２系統の信号を１系統の信号に合成する。【０１６４】
次に、フィルタ１２８は、合成した信号を帯域制限する。【０１６５】
次に、低周波増幅器１２９は、帯域制限した信号を増幅する。【０１６６】
また、スイッチ１３０は、ＤＴＶ／ＧＰＳ切替え制御部１３１の指示により端子１３０ａと端子１３０ｃが閉じた状態である。これにより、低周波増幅器１２９で増幅された信号は、スイッチ１３０の端子１３０ａ及び端子１３０ｃを経由してＤＴＶ−ＯＦＤＭ復調部１１１へ入力する。【０１６７】
次に、ＤＴＶ−ＯＦＤＭ復調部１１１は、低周波増幅器１１０から入力した信号と、スイッチ１３０から入力した信号をダイバーシチ合成するとともにＯＦＤＭ復調する。【０１６８】
次に、ＤＴＶ復号部１１３は、ＯＦＤＭ復調した信号を復号してＤＴＶ放送データを取得する。【０１６９】
また、受信品質測定部３０４は、低周波増幅器１１０から入力した信号の受信品質及び低周波増幅器１２９から入力した信号の受信品質を測定する。【０１７０】
次に、アンテナ切替部３０５は、受信品質測定部３０４における受信品質の測定結果に基づいて、アンテナ１０１とアンテナ１０２の内で、受信品質が良好な方のアンテナを決定して記憶する。なお、アンテナ切替部３０５は、図４の場合、スイッチ３０１及びスイッチ３０２の開閉を制御しないので、ＤＴＶ放送信号はアンテナ１０１とアンテナ１０２によりダイバー受信される。【０１７１】
以上で、図４を用いた無線受信装置３００の動作の説明を終了する。【０１７２】
次に、ＤＴＶ放送信号とＧＰＳ信号を同時に受信する場合において、ＧＰＳ信号を間欠的受信する際のＧＰＳ信号の受信期間中の無線受信装置３００の動作について、図５を用いて説明する。【０１７３】
図５は、ＤＴＶ放送信号とＧＰＳ信号を同時に受信する場合において、ＧＰＳ信号を間欠的受信する際のＧＰＳ信号の受信期間中の無線受信装置３００の構成を示すブロック図である。なお、図５は図３と同一構成であるので、図５において、図３と同一構成の部分に同一番号を付してその説明を省略する。【０１７４】
また、図５は、図４において、アンテナ切替部３０５がアンテナ１０１で受信したＤＴＶ放送信号の受信品質よりもアンテナ１０２で受信したＤＴＶ放送信号の受信品質の方が良好であると判断し、ＧＰＳ信号の受信停止期間から受信期間に移行した場合を示すものである。【０１７５】
まず、アンテナ１０１は、ＤＴＶ放送信号を受信する。【０１７６】
次に、高周波増幅器１０４は、アンテナ１０１で受信した受信信号を増幅する。【０１７７】
ここで、高周波増幅器１０４が増幅した受信信号はスイッチ３０１に出力される。しかしながら、スイッチ３０１の端子３０１ａと端子３０１ｃは開いた状態であるため、受信信号が直交復調器１０５に入力することはない。この際、消費電力削減のため、高周波増幅器１０６と直交復調器１０７の電源をオフにしても良い。【０１７８】
また、アンテナ１０２は、ＤＴＶ放送信号を受信する。【０１７９】
次に、高周波増幅器１０６は、アンテナ１０２で受信した受信信号を増幅する。【０１８０】
次に、アンテナ切替部３０５は、最も受信品質が良好なアンテナとしてアンテナ１０２を記憶しているため、スイッチ３０２に対して、端子３０２ａと端子３０２ｃとを接続する制御を行う。そして、スイッチ３０２は、アンテナ切替部３０５の制御により端子３０２ａと端子３０２ｃが閉じた状態になる。これにより、高周波増幅器１０６で増幅された受信信号は、スイッチ３０２の端子３０２ａ及び端子３０２ｃを経由してスイッチ３０１に入力する。【０１８１】
次に、アンテナ切替部３０５は、最も受信品質が良好なアンテナとしてアンテナ１０２を記憶しているため、スイッチ３０１に対して、端子３０１ｂと端子３０１ｃとを接続する制御を行う。そして、スイッチ３０１は、アンテナ切替部３０５の制御により端子３０１ｂと端子３０１ｃが閉じた状態になる。これにより、スイッチ３０２から入力した受信信号は、スイッチ３０１の端子３０１ｂ及び端子３０１ｃを経由して直交復調器１０５に入力する。【０１８２】
次に、直交復調器１０５は、増幅された受信信号を局部発振信号で直交復調して、Ｉチャネル信号とＱチャネル信号を生成する。【０１８３】
次に、ポリフェイズフィルタ１０８は、Ｉチャネル信号とＱチャネル信号の２系統の信号を１系統の信号に合成する。【０１８４】
次に、フィルタ１０９は、合成した信号を帯域制限する。【０１８５】
次に、低周波増幅器１１０は、帯域制限した信号を増幅する。【０１８６】
次に、ＤＴＶ−ＯＦＤＭ復調部１１１は、低周波増幅器１１０から入力した信号をＯＦＤＭ復調する。【０１８７】
次に、ＤＴＶ復号部１１３は、ＯＦＤＭ復調した信号を復号してＤＴＶ放送データを取得する。【０１８８】
一方、アンテナ１２１は、ＧＰＳ衛星から送信されたＧＰＳ信号を受信する。【０１８９】
次に、高周波増幅器１２３は、アンテナ１２１で受信した受信信号を増幅する。【０１９０】
次に、直交復調器１２４は、増幅された受信信号を局部発振信号で直交復調して、Ｉチャネル信号とＱチャネル信号を生成する。【０１９１】
また、スイッチ１２５は、ＤＴＶ／ＧＰＳ切替え制御部１３１の指示により端子１２５ａと端子１２５ｂが閉じた状態である。これにより、直交復調器１２４で生成されたＩチャネル信号は、スイッチ１２５の端子１２５ａ及び端子１２５ｂを経由してポリフェイズフィルタ１２７へ入力する。【０１９２】
また、スイッチ１２６は、ＤＴＶ／ＧＰＳ切替え制御部１３１の指示により端子１２６ａと端子１２６ｂが閉じた状態である。これにより、直交復調器１２４で生成されたＱチャネル信号は、スイッチ１２６の端子１２６ａ及び端子１２６ｂを経由してポリフェイズフィルタ１２７へ入力する。【０１９３】
次に、ポリフェイズフィルタ１２７は、Ｉチャネル信号とＱチャネル信号の２系統の信号を１系統の信号に合成する。【０１９４】
次に、フィルタ１２８は、合成した信号を帯域制限する。【０１９５】
次に、低周波増幅器１２９は、帯域制限した信号を増幅する。【０１９６】
また、スイッチ１３０は、ＤＴＶ／ＧＰＳ切替え制御部１３１の指示により端子１３０ａと端子１３０ｂが閉じた状態である。これにより、低周波増幅器１２９で増幅された信号はスイッチ１３０の端子１３０ａ及び端子１３０ｂを経由してＧＰＳ復調部１１２に入力する。【０１９７】
また、ＧＰＳ復調部１１２は、スイッチ１３０から入力した信号を復調する。【０１９８】
次に、ＧＰＳ復号部１１４は、復調した信号を復号して位置データを取得する。【０１９９】
このように、本実施の形態によれば、上記実施の形態１の効果に加えて、ＧＰＳ信号を間欠受信する場合において、ＧＰＳ信号の受信停止期間中に、ＧＰＳ信号の増幅及び帯域制限を行っているＩＦ部を用いて、受信したＤＴＶ放送信号の処理を実行するので、ＧＰＳ信号を受信しながら、受信品質の良好なアンテナを選択することができ、ＤＴＶ放送の画像を劣化させることなく表示することができる。【０２００】
（実施の形態３）
図６は、本発明の実施の形態３に係る無線受信装置６００の構成を示すブロック図である。【０２０１】
図６に示す無線受信装置６００は、図５に示す実施の形態２に係る無線受信装置３００に対して、フィルタ６０１及び低周波増幅器６０２を追加する。なお、図６において、図５と同一構成である部分には同一の符号を付してその説明を省略する。【０２０２】
無線受信装置６００は、アンテナ１０１、アンテナ１０２、アンテナ１２１、スイッチ１２５、スイッチ１２６、スイッチ１３０、復調部１５２、復号部１５３、無線部１５４、ＩＦ部１５５、無線部３５１、制御部３５２、受信品質測定部３０４、アンテナ切替部３０５及びＩＦ部６５１から主に構成される。【０２０３】
ＩＦ部６５１は、ポリフェイズフィルタ１０８、フィルタ６０１、低周波増幅器６０２、フィルタ１０９及び低周波増幅器１１０を含む。【０２０４】
ポリフェイズフィルタ１０８は、直交復調器１０５から入力したＩチャネル信号とＱチャネル信号からなる２系列の信号を１系列の信号に合成して、フィルタ６０１へ出力する。【０２０５】
フィルタ６０１は、ポリフェイズフィルタ１０８から入力した信号を帯域制限する。【０２０６】
低周波増幅器６０２は、フィルタ６０１から入力した信号を増幅する。【０２０７】
フィルタ１０９は、低周波増幅器６０２から入力した信号を帯域制限して低周波増幅器１１０へ出力する。【０２０８】
なお、無線受信装置６００の動作は、ＩＦ部６５１において、複数の段数において帯域制限及び増幅を行う以外は図３〜図５と同一であるので、その説明を省略する。【０２０９】
このように、本実施の形態によれば、上記実施の形態２の効果に加えて、ＤＴＶ放送信号専用のＩＦ部における帯域制限及び増幅の処理段数を、ＤＴＶ放送信号及びＧＰＳ信号で兼用するＩＦ部おける帯域制限及び増幅の処理段数よりも多くした。これにより、処理段数の多いＩＦ部において各ブランチのＤＴＶ放送信号の受信処理を実行することにより、ＤＴＶ放送の画像を高画質で表示することができる。【０２１０】
なお、本実施の形態において、フィルタと低周波増幅器を同じ段数にしたが、本発明はこれに限らず、フィルタと低周波増幅器を異なる段数にしても良い。【０２１１】
上記実施の形態１〜実施の形態３において、ＤＴＶ放送信号とＧＰＳ信号を同時受信する場合について説明したが、本発明はこれに限らず、任意の複数の異なる通信システムを同時受信する場合にも適用することができる。また、上記実施の形態１〜実施の形態３において、ＤＴＶ放送信号を受信する場合について説明したが、本発明はこれに限らず、アナログテレビ放送信号を受信する場合にも適用することができる。また、上記実施の形態１〜実施の形態３において、ＤＴＶ放送信号を２本のアンテナでダイバーシチ受信することにしたが、本発明はこれに限らず、ＤＴＶ放送信号を３本以上の任意の本数のアンテナでダイバーシチ受信しても良い。【０２１２】
２００８年８月５日出願の特願２００８−２０２０９１の日本出願に含まれる明細書、図面および要約書の開示内容は、すべて本願に援用される。
【産業上の利用可能性】
【０２１３】
本発明にかかる無線受信装置は、例えばディジタルテレビ放送信号とＧＰＳ信号を同時に受信するのに好適である。
【図１】
2010016165.tif 000003
【図２】
2010016165.tif 000004
【図３】
2010016165.tif 000005
【図４】
2010016165.tif 000006
【図５】
2010016165.tif 000007
【図６】
2010016165.tif 000008
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
複数のアンテナにより受信されたテレビ放送信号の無線処理を行う第１無線処理手段と、
ＧＰＳ衛星から受信されたＧＰＳ信号の無線処理を行う第２無線処理手段と、
前記複数のアンテナの内の一部のアンテナにより受信され、前記第１無線処理手段により無線処理された前記テレビ放送信号を増幅及び帯域制限する第１中間信号処理手段と、
前記複数のアンテナの内の前記一部のアンテナ以外のアンテナにより受信され、前記第１無線処理手段により無線処理された前記テレビ放送信号と前記第２無線処理手段により無線処理されたＧＰＳ信号の何れか一方を選択する第１選択手段と、
選択された前記テレビ放送信号または前記ＧＰＳ信号を増幅及び帯域制限する第２中間信号処理手段と、
前記第１中間信号処理手段及び前記第２中間信号処理手段が増幅及び帯域制限した前記テレビ放送信号または前記ＧＰＳ信号を復調する復調手段と、
を具備する無線受信装置。
【請求項２】
前記第２無線処理手段は、前記ＧＰＳ信号の無線処理を間欠的に行い、
前記第１選択手段は、前記第２無線処理手段の無線処理実行期間内に前記ＧＰＳ信号を選択し、前記第２無線処理手段の無線処理停止期間内に前記テレビ放送信号を選択する請求項１記載の無線受信装置。
【請求項３】
前記無線処理停止期間内において、前記複数のアンテナにより受信された前記テレビ放送信号の各々の受信品質を測定する測定手段と、
前記受信品質が最も良好なアンテナを記憶する記憶手段と、
前記第２無線処理手段が前記無線処理停止期間から前記無線処理実行期間に移行した際に、前記記憶手段に記憶されているアンテナにより受信された前記テレビ放送信号を選択する第２選択手段とを具備し、
前記第１中間信号処理手段は、前記第２選択手段により選択された前記テレビ放送信号を増幅及び帯域制限する請求項２記載の無線受信装置。
【請求項４】
前記第１中間信号処理手段は、前記増幅または前記帯域制限を複数の段数に分けて行い、
前記第２中間信号処理手段は、前記第１中間信号処理手段よりも少ない段数で前記増幅または前記帯域制限を行う請求項３記載の無線受信装置。
【手続補正２】
【補正対象書類名】明細書
【補正対象項目名】全文
【補正方法】変更
【補正の内容】
【発明の詳細な説明】
【技術分野】
【０００１】
本発明は、無線受信装置に関し、例えばディジタルテレビ放送信号とＧＰＳ信号を同時に受信する無線受信装置に関する。
【背景技術】
【０００２】
従来、ＧＰＳシステムと他の通信システムを結合した受信部を有し、スイッチによりＧＰＳシステムの信号受信用アンテナと他の通信システムの信号受信用アンテナを切り替える無線通信装置が知られている（例えば、特許文献１）。
【０００３】
特許文献１によれば、ＧＰＳシステムの信号受信動作及び他の通信システムの信号受信動作に時間差を設けることにより、ＧＰＳシステムの受信回路と他の通信システムの受信回路とを共用することができる。
【０００４】
また、従来、１つの放送局から送信された信号を複数のアンテナを用いてダイバーシチ受信するとともに、ダイバーシチ受信が不要な場合には、複数のアンテナの一部を他の放送局から送信された信号の受信用に利用する受信装置が知られている（例えば、特許文献２）。
【特許文献１】特開２００６−２３３１５号公報
【特許文献２】特開２００６−２７０３７８号公報
【発明の開示】
【発明が解決しようとする課題】
【０００５】
しかしながら、特許文献１においては、ＧＰＳシステムの信号と他の通信システムの信号とを同時に受信することができないという問題がある。また、特許文献２においては、復調回路が１つであるため、同じ通信方式の信号を同時に受信することは可能であるが、異なる通信方式の信号を同時に受信することはできないという問題がある。この場合、復調回路を複数設けることにより、異なる通信方式の信号を同時に受信することが可能である。しかし、復調回路を複数設けた場合、回路規模が大きくなり、装置全体の小型化を図ることが困難であるとともに、製造コストが増大するという問題がある。
【０００６】
本発明の目的は、回路規模及び装置全体を大型化せずに、異なる通信方式の信号を同時に受信することができるとともに、製造コストを抑制することができる無線受信装置を提供することである。
【課題を解決するための手段】
【０００７】
本発明の無線受信装置は、複数のアンテナにより受信されたテレビ放送信号の無線処理を行う第１無線処理手段と、ＧＰＳ衛星から受信されたＧＰＳ信号の無線処理を行う第２無線処理手段と、前記複数のアンテナの内の一部のアンテナにより受信され、前記第１無線処理手段により無線処理された前記テレビ放送信号を増幅及び帯域制限する第１中間信号処理手段と、前記複数のアンテナの内の前記一部のアンテナ以外のアンテナにより受信され、前記第１無線処理手段により無線処理された前記テレビ放送信号と前記第２無線処理手段により無線処理されたＧＰＳ信号の何れか一方を選択する第１選択手段と、選択された前記テレビ放送信号または前記ＧＰＳ信号を増幅及び帯域制限する第２中間信号処理手段と、前記第１中間信号処理手段及び前記第２中間信号処理手段が増幅及び帯域制限した前記テレビ放送信号または前記ＧＰＳ信号を復調する復調手段と、を具備する構成を採る。
【発明の効果】
【０００８】
本発明によれば、回路規模及び装置全体を大型化せずに、異なる通信方式の信号を同時に受信することができるとともに、製造コストを抑制することができる。
【発明を実施するための最良の形態】
【０００９】
以下、本発明の実施の形態について、図面を参照して詳細に説明する。
【００１０】
（実施の形態１）
図１は、本発明の実施の形態１に係る無線受信装置１００の構成を示すブロック図である。
【００１１】
無線受信装置１００は、アンテナ１０１、アンテナ１０２、アンテナ１２１、スイッチ１２５、スイッチ１２６、スイッチ１３０、無線部１５０、ＩＦ部１５１、復調部１５２、復号部１５３、無線部１５４、ＩＦ部１５５及び制御部１５６から主に構成される。
【００１２】
また、無線部１５０は、局部発振器１０３、高周波増幅器１０４、直交復調器１０５、高周波増幅器１０６及び直交復調器１０７を含む。
【００１３】
また、ＩＦ部１５１は、ポリフェイズフィルタ１０８、フィルタ１０９及び低周波増幅器１１０を含む。
【００１４】
また、復調部１５２は、ディジタルテレビ（以下「ＤＴＶ」と記載する）−ＯＦＤＭ復調部１１１及びＧＰＳ復調部１１２を含む。
【００１５】
また、復号部１５３は、ＤＴＶ復号部１１３及びＧＰＳ復号部１１４を含む。
【００１６】
また、無線部１５４は、局部発振器１２２、高周波増幅器１２３及び直交復調器１２４
を含む。
【００１７】
また、ＩＦ部１５５は、ポリフェイズフィルタ１２７、フィルタ１２８及び低周波増幅器１２９を含む。
【００１８】
また、制御部１５６は、ＤＴＶ／ＧＰＳ切替え制御部１３１を含む。
【００１９】
次に、無線受信装置１００の各部の構成を、図１を用いて詳細に説明する。
【００２０】
図１は、ＤＴＶ放送信号をダイバーシチ受信する場合の無線受信装置１００の構成を示すブロック図である。
【００２１】
アンテナ１０１は、ＤＴＶ放送信号を受信し、受信したＤＴＶ放送信号を高周波増幅器１０４へ出力する。
【００２２】
アンテナ１０２は、ＤＴＶ放送信号を受信し、受信信号を高周波増幅器１０６へ出力する。また、アンテナ１０２は、アンテナ１０１から所定の距離だけ離間して配置されることにより、アンテナ１０１と共にダイバーシチ受信用のアンテナとして機能する。
【００２３】
局部発振器１０３は、例えば位相負帰還制御系（ＰＬＬ：Phase Locked Loop）で制御される電圧制御発振器（ＶＣＯ：Voltage Controlled Oscillator）を用いた周波数シンセサイザ等の発振回路であり、局部発振信号を直交復調器１０５及び直交復調器１０７へ出力する。
【００２４】
高周波増幅器１０４は、アンテナ１０１から入力した受信信号を増幅して直交復調器１０５へ出力する。
【００２５】
直交復調器１０５は、高周波増幅器１０４から入力した受信信号を、局部発振器１０３から入力した局部発振信号で直交復調して、Ｉチャネル信号とＱチャネル信号を生成する。そして、直交復調器１０５は、生成したＩチャネル信号とＱチャネル信号をポリフェイズフィルタ１０８へ出力する。
【００２６】
高周波増幅器１０６は、アンテナ１０２から入力した受信信号を増幅して直交復調器１０７へ出力する。
【００２７】
直交復調器１０７は、高周波増幅器１０６から入力した受信信号を、局部発振器１０３から入力した局部発振信号で直交復調して、Ｉチャネル信号とＱチャネル信号を生成する。そして、直交復調器１０７は、生成したＩチャネル信号をスイッチ１２５へ出力し、生成したＱチャネル信号をスイッチ１２６へ出力する。ここで、無線処理とは、高周波増幅器１０４、直交復調器１０５、高周波増幅器１０６及び直交復調器１０７における上記の一連の処理を意味する。
【００２８】
ポリフェイズフィルタ１０８は、直交復調器１０５から入力したＩチャネル信号とＱチャネル信号からなる２系列の信号を１系列の信号に合成して、フィルタ１０９へ出力する。
【００２９】
フィルタ１０９は、ポリフェイズフィルタ１０８から入力した信号を帯域制限して低周波増幅器１１０へ出力する。
【００３０】
低周波増幅器１１０は、フィルタ１０９から入力した信号を増幅してＤＴＶ−ＯＦＤＭ
復調部１１１へ出力する。
【００３１】
ＤＴＶ−ＯＦＤＭ復調部１１１は、低周波増幅器１１０から入力した信号をＯＦＤＭ復調してＤＴＶ復号部１１３へ出力する。また、ＤＴＶ−ＯＦＤＭ復調部１１１は、スイッチ１３０から入力したＤＴＶ放送信号をＯＦＤＭ復調するとともに、低周波増幅器１１０から入力したＤＴＶ放送信号とダイバーシチ合成してＤＴＶ復号部１１３へ出力する。ここで、ＯＦＤＭ復調とは、ＤＴＶ−ＯＦＤＭ復調部１１１に入力した信号をフーリエ変換することにより周波数軸信号から時間軸信号に変換することを意味する。
【００３２】
ＧＰＳ復調部１１２は、スイッチ１３０から入力したＧＰＳ衛星の受信信号を復調処理してＧＰＳ復号部１１４へ出力する。
【００３３】
ＤＴＶ復号部１１３は、ＤＴＶ−ＯＦＤＭ復調部１１１から入力した復調後の信号を復号してＤＴＶ放送データを取得する。そして、ＤＴＶ復号部１１３は、取得したＤＴＶ放送データを出力する。ここで、ＤＴＶ復号部１１３から出力されるＤＴＶ放送データは、図示しない表示部にＤＴＶ放送の画像を表示するためのデータである。
【００３４】
ＧＰＳ復号部１１４は、ＧＰＳ復調部１１２から入力した復調後の信号を復号して位置データを取得する。そして、ＧＰＳ復号部１１４は、取得した位置データを出力する。ここで、ＧＰＳ復号部１１４から出力される位置データは、無線受信装置１００の現在位置を示すデータである。
【００３５】
アンテナ１２１は、ＧＰＳ衛星から送信されたＧＰＳ信号を受信し、受信信号を高周波増幅器１２３へ出力する。
【００３６】
局部発振器１２２は、例えば位相負帰還制御系（ＰＬＬ：Phase Locked Loop）で制御される電圧制御発振器（ＶＣＯ：Voltage Controlled Oscillator）を用いた周波数シンセサイザ等の発振回路であり、局部発振信号を直交復調器１２４へ出力する。
【００３７】
高周波増幅器１２３は、アンテナ１２１から入力した受信信号を増幅して直交復調器１２４へ出力する。
【００３８】
直交復調器１２４は、高周波増幅器１２３から入力した受信信号を、局部発振器１２２から入力した局部発振信号で直交復調して、Ｉチャネル信号とＱチャネル信号を生成する。そして、直交復調器１２４は、生成したＩチャネル信号をスイッチ１２５へ出力し、生成したＱチャネル信号をスイッチ１２６へ出力する。
【００３９】
スイッチ１２５は、３つの端子１２５ａ、１２５ｂ及び１２５ｃを有する。また、スイッチ１２５は、ＤＴＶ／ＧＰＳ切替え制御部１３１の制御に従って、直交復調器１０７から入力したＩチャネル信号をポリフェイズフィルタ１２７へ出力する場合と、直交復調器１２４から入力したＩチャネル信号をポリフェイズフィルタ１２７へ出力する場合とを切り替える。具体的には、スイッチ１２５は、ＤＴＶ／ＧＰＳ切替え制御部１３１の制御に従って端子１２５ｂと端子１２５ｃを接続して、直交復調器１０７から出力されたＩチャネル信号をポリフェイズフィルタ１２７へ出力する。また、スイッチ１２５は、ＤＴＶ／ＧＰＳ切替え制御部１３１の制御に従って端子１２５ａと端子１２５ｂを接続して、直交復調器１２４から出力されたＩチャネル信号をポリフェイズフィルタ１２７へ出力する。
【００４０】
スイッチ１２６は、３つの端子１２６ａ、１２６ｂ及び１２６ｃを有する。また、スイッチ１２６は、ＤＴＶ／ＧＰＳ切替え制御部１３１の制御に従って、直交復調器１０７から入力したＱチャネル信号をポリフェイズフィルタ１２７へ出力する場合と、直交復調器
１２４から入力したＱチャネル信号をポリフェイズフィルタ１２７へ出力する場合とを切り替える。具体的には、スイッチ１２６は、ＤＴＶ／ＧＰＳ切替え制御部１３１の制御に従って端子１２６ｂと端子１２６ｃを接続して、直交復調器１０７から出力されたＱチャネル信号をポリフェイズフィルタ１２７へ出力する。また、スイッチ１２６は、ＤＴＶ／ＧＰＳ切替え制御部１３１の制御に従って端子１２６ａと端子１２６ｂを接続して、直交復調器１２４から出力されたＱチャネル信号をポリフェイズフィルタ１２７へ出力する。
【００４１】
ポリフェイズフィルタ１２７は、スイッチ１２５から入力したＩチャネル信号とスイッチ１２６から入力したＱチャネル信号からなる２系列の信号を１系列の信号に合成して、フィルタ１２８へ出力する。
【００４２】
フィルタ１２８は、ポリフェイズフィルタ１２７から入力した信号を帯域制限して低周波増幅器１２９へ出力する。
【００４３】
低周波増幅器１２９は、フィルタ１２８から入力した信号を増幅してスイッチ１３０へ出力する。
【００４４】
スイッチ１３０は、３つの端子１３０ａ、１３０ｂ及び１３０ｃを有する。また、スイッチ１３０は、ＤＴＶ／ＧＰＳ切替え制御部１３１の制御に従って、低周波増幅器１２９から入力した信号をＤＴＶ−ＯＦＤＭ復調部１１１へ出力する場合と、低周波増幅器１２９から入力した信号をＧＰＳ復調部１１２へ出力する場合とを切り替える。具体的には、スイッチ１３０は、ＤＴＶ／ＧＰＳ切替え制御部１３１の制御に従って端子１３０ａと端子１３０ｃを接続して、低周波増幅器１２９から出力された信号をＤＴＶ−ＯＦＤＭ復調部１１１へ出力する。また、スイッチ１３０は、ＤＴＶ／ＧＰＳ切替え制御部１３１の制御に従って端子１３０ａと端子１３０ｂを接続して、低周波増幅器１２９から出力された信号をＧＰＳ復調部１１２へ出力する。
【００４５】
ＤＴＶ／ＧＰＳ切替え制御部１３１は、ＧＰＳ信号の受信の有無を検出し、検出結果に応じて、スイッチ１２５、スイッチ１２６及びスイッチ１３０の切り替えを指示する。ＤＴＶ／ＧＰＳ切替え制御部１３１は、例えば、ＧＰＳ信号の受信操作開始のボタン（図示省略）操作を検出することにより、ＧＰＳ信号の受信有りを検出し、ＧＰＳ信号の受信操作終了のボタン（図示省略）操作を検出することにより、ＧＰＳ信号の受信無しを検出する。
【００４６】
また、ＤＴＶ／ＧＰＳ切替え制御部１３１は、ＧＰＳ信号の受信有りを検出した場合に、スイッチ１２５に対して端子１２５ａと端子１２５ｂを接続することを指示し、スイッチ１２６に対して端子１２６ａと端子１２６ｂを接続することを指示するとともに、スイッチ１３０に対して端子１３０ａと端子１３０ｂを接続することを指示する。一方、ＤＴＶ／ＧＰＳ切替え制御部１３１は、ＧＰＳ信号の受信無しを検出した場合に、スイッチ１２５に対して端子１２５ｂと端子１２５ｃを接続することを指示し、スイッチ１２６に対して端子１２６ｂと端子１２６ｃを接続することを指示するとともに、スイッチ１３０に対して端子１３０ａと端子１３０ｃを接続することを指示する。
【００４７】
次に、無線受信装置１００の動作について、図１及び図２を用いて説明する。
【００４８】
図２は、ＤＴＶ放送信号とＧＰＳ信号を同時に受信する場合の無線受信装置１００の構成を示すブロック図である。なお、図２は、図１と同一構成であるので、図１と同一番号を付してその説明を省略する。
【００４９】
最初に、ＤＴＶ放送信号をダイバーシチ受信する場合の無線受信装置１００の動作につ
いて、図１を用いて説明する。
【００５０】
アンテナ１０１は、ＤＴＶ放送信号を受信する。
【００５１】
次に、高周波増幅器１０４は、アンテナ１０１で受信した受信信号を増幅する。
【００５２】
次に、直交復調器１０５は、増幅された受信信号を局部発振信号で直交復調して、Ｉチャネル信号とＱチャネル信号を生成する。
【００５３】
次に、ポリフェイズフィルタ１０８は、Ｉチャネル信号とＱチャネル信号の２系統の信号を１系統の信号に合成する。
【００５４】
次に、フィルタ１０９は、合成した信号を帯域制限する。
【００５５】
次に、低周波増幅器１１０は、帯域制限した信号を増幅する。
【００５６】
一方、アンテナ１０２は、ＤＴＶ放送信号を受信する。
【００５７】
次に、高周波増幅器１０６は、アンテナ１０２で受信した受信信号を増幅する。
【００５８】
次に、直交復調器１０７は、増幅された受信信号を局部発振信号で直交復調して、Ｉチャネル信号とＱチャネル信号を生成する。
【００５９】
次に、スイッチ１２５は、ＤＴＶ／ＧＰＳ切替え制御部１３１の指示により端子１２５ｃと端子１２５ｂが閉じた状態であり、これにより、直交復調器１０７で生成されたＩチャネル信号はスイッチ１２５の端子１２５ｃ及び端子１２５ｂを経由してポリフェイズフィルタ１２７へ入力する。
【００６０】
また、スイッチ１２６は、ＤＴＶ／ＧＰＳ切替え制御部１３１の指示により端子１２６ｃと端子１２６ｂが閉じた状態であり、これにより、直交復調器１０７で生成されたＱチャネル信号はスイッチ１２６の端子１２６ｃ及び端子１２６ｂを経由してポリフェイズフィルタ１２７へ入力する。
【００６１】
次に、ポリフェイズフィルタ１２７は、Ｉチャネル信号とＱチャネル信号の２系統の信号を１系統の信号に合成する。
【００６２】
次に、フィルタ１２８は、合成した信号を帯域制限する。
【００６３】
次に、低周波増幅器１２９は、帯域制限した信号を増幅する。
【００６４】
次に、スイッチ１３０は、ＤＴＶ／ＧＰＳ切替え制御部１３１の指示により端子１３０ａと端子１３０ｃが閉じた状態であり、これにより、低周波増幅器１２９で増幅された信号はスイッチ１３０の端子１３０ａ及び端子１３０ｃを経由してＤＴＶ−ＯＦＤＭ復調部１１１へ入力する。
【００６５】
次に、ＤＴＶ−ＯＦＤＭ復調部１１１は、低周波増幅器１１０から入力した信号と、スイッチ１３０から入力した信号をダイバーシチ合成するとともにＯＦＤＭ復調する。
【００６６】
次に、ＤＴＶ復号部１１３は、ＯＦＤＭ復調した信号を復号してＤＴＶ放送データを取得する。
【００６７】
以上で、ＤＴＶ放送信号をダイバーシチ受信する場合の無線受信装置１００の動作の説明を終了する。
【００６８】
次に、ＤＴＶ放送信号とＧＰＳ信号を同時に受信する場合の無線受信装置１００の動作について、図２を用いて説明する。
【００６９】
最初に、アンテナ１０１は、ＤＴＶ放送信号を受信する。
【００７０】
次に、高周波増幅器１０４は、アンテナ１０１で受信した受信信号を増幅する。
【００７１】
次に、直交復調器１０５は、増幅された受信信号を局部発振信号で直交復調して、Ｉチャネル信号とＱチャネル信号を生成する。
【００７２】
次に、ポリフェイズフィルタ１０８は、Ｉチャネル信号とＱチャネル信号の２系統の信号を１系統の信号に合成する。
【００７３】
次に、フィルタ１０９は、合成した信号を帯域制限する。
【００７４】
次に、低周波増幅器１１０は、帯域制限した信号を増幅する。
【００７５】
また、アンテナ１０２は、ＤＴＶ放送信号を受信する。
【００７６】
次に、高周波増幅器１０６は、アンテナ１０２で受信した受信信号を増幅する。
【００７７】
次に、直交復調器１０７は、増幅された受信信号を局部発振信号で直交復調して、Ｉチャネル信号とＱチャネル信号を生成する。
【００７８】
ここで、直交復調器１０７が生成したＩチャネル信号はスイッチ１２５に出力される。しかしながら、スイッチ１２５の端子１２５ｂと端子１２５ｃは開いた状態であるため、Ｉチャネル信号がポリフェイズフィルタ１２７に入力することはない。この際、消費電力削減のため、高周波増幅器１０６と直交復調器１０７の電源をオフにしても良い。
【００７９】
また、同様に、直交復調器１０７が生成したＱチャネル信号はスイッチ１２６に出力される。しかしながら、スイッチ１２６の端子１２６ｂと端子１２６ｃは開いた状態であるため、Ｑチャネル信号がポリフェイズフィルタ１２７に入力することはない。この際、消費電力削減のため、高周波増幅器１０６と直交復調器１０７の電源をオフにしても良い。
【００８０】
一方、アンテナ１２１は、ＧＰＳ衛星から送信されたＧＰＳ信号を受信する。
【００８１】
次に、高周波増幅器１２３は、アンテナ１２１で受信した受信信号を増幅する。
【００８２】
次に、直交復調器１２４は、増幅された受信信号を局部発振信号で直交復調して、Ｉチャネル信号とＱチャネル信号を生成する。
【００８３】
次に、スイッチ１２５は、ＤＴＶ／ＧＰＳ切替え制御部１３１の指示により端子１２５ａと端子１２５ｂが閉じた状態であり、これにより、直交復調器１２４で生成されたＩチャネル信号はスイッチ１２５の端子１２５ａ及び端子１２５ｂを経由してポリフェイズフィルタ１２７へ入力する。
【００８４】
また、スイッチ１２６は、ＤＴＶ／ＧＰＳ切替え制御部１３１の指示により端子１２６ａと端子１２６ｂが閉じた状態であり、これにより、直交復調器１２４で生成されたＱチャネル信号はスイッチ１２６の端子１２６ａ及び端子１２６ｂを経由してポリフェイズフィルタ１２７へ入力する。
【００８５】
次に、ポリフェイズフィルタ１２７は、Ｉチャネル信号とＱチャネル信号の２系統の信号を１系統の信号に合成する。
【００８６】
次に、フィルタ１２８は、合成した信号を帯域制限する。
【００８７】
次に、低周波増幅器１２９は、帯域制限した信号を増幅する。
【００８８】
次に、スイッチ１３０は、ＤＴＶ／ＧＰＳ切替え制御部１３１の指示により端子１３０ａと端子１３０ｂが閉じた状態であり、これにより、低周波増幅器１２９で増幅された信号はスイッチ１３０の端子１３０ａ及び端子１３０ｂを経由してＧＰＳ復調部１１２に入力する。
【００８９】
次に、ＤＴＶ−ＯＦＤＭ復調部１１１は、低周波増幅器１１０から入力した信号をＯＦＤＭ復調する。
【００９０】
次に、ＤＴＶ復号部１１３は、ＯＦＤＭ復調した信号を復号してＤＴＶ放送データを取得する。
【００９１】
また、ＧＰＳ復調部１１２は、スイッチ１３０から入力した信号を復調する。
【００９２】
次に、ＧＰＳ復号部１１４は、復調した信号を復号して位置データを取得する。
【００９３】
このように、本実施の形態によれば、回路規模及び装置全体を大型化せずに、異なる通信方式の信号を同時に受信することができるとともに、製造コストを抑制することができる。また、本実施の形態によれば、ＧＰＳ信号を受信しない場合には、スイッチの切り替え制御により、ＤＴＶ放送信号をダイバーシチ受信することができるので、ＤＴＶ放送の画像を劣化させることなく表示することができる。
【００９４】
（実施の形態２）
図３は、本発明の実施の形態２に係る無線受信装置３００の構成を示すブロック図である。
【００９５】
図３に示す無線受信装置３００は、図１に示す実施の形態１に係る無線受信装置１００に対して、スイッチ３０１、スイッチ３０２、スリープ制御部３０３、受信品質測定部３０４及びアンテナ切替部３０５を追加する。なお、図３において、図１と同一構成である部分には同一の符号を付してその説明を省略する。
【００９６】
無線受信装置３００は、アンテナ１０１、アンテナ１０２、アンテナ１２１、スイッチ１２５、スイッチ１２６、スイッチ１３０、ＩＦ部１５１、復調部１５２、復号部１５３、無線部１５４、ＩＦ部１５５、無線部３５１、制御部３５２、受信品質測定部３０４及びアンテナ切替部３０５から主に構成される。
【００９７】
無線部３５１は、局部発振器１０３、高周波増幅器１０４、直交復調器１０５、高周波増幅器１０６、直交復調器１０７、スイッチ３０１及びスイッチ３０２を含む。
【００９８】
また、制御部３５２は、ＤＴＶ／ＧＰＳ切替え制御部１３１及びスリープ制御部３０３を含む。
【００９９】
次に、無線受信装置１００の各部の構成を、図１を用いて詳細に説明する。
【０１００】
高周波増幅器１０４は、アンテナ１０１から入力した受信信号を増幅してスイッチ３０１へ出力する。
【０１０１】
スイッチ３０１は、３つの端子３０１ａ、３０１ｂ及び３０１ｃを有する。また、スイッチ３０１は、アンテナ切替部３０５の制御に従って、高周波増幅器１０４から入力した受信信号を直交復調器１０５へ出力する場合と、スイッチ３０２から入力した受信信号を直交復調器１０５へ出力する場合とを切り替える。具体的には、スイッチ３０１は、アンテナ切替部３０５の制御に従って端子３０１ａと端子３０１ｃを接続して、高周波増幅器１０４から出力された受信信号を直交復調器１０５へ出力する。また、スイッチ３０１は、アンテナ切替部３０５の制御に従って端子３０１ｂと端子３０１ｃを接続して、スイッチ３０２から出力された受信信号を直交復調器１０５へ出力する。
【０１０２】
直交復調器１０５は、スイッチ３０１から入力した受信信号を、局部発振器１０３から入力した局部発振信号で直交復調して、Ｉチャネル信号とＱチャネル信号を生成する。そして、直交復調器１０５は、生成したＩチャネル信号とＱチャネル信号をポリフェイズフィルタ１０８へ出力する。
【０１０３】
高周波増幅器１０６は、アンテナ１０２から入力した受信信号を増幅してスイッチ３０２へ出力する。
【０１０４】
スイッチ３０２は、３つの端子３０２ａ、３０２ｂ及び３０２ｃを有する。また、スイッチ３０２は、アンテナ切替部３０５の制御に従って、高周波増幅器１０６から入力した受信信号を直交復調器１０７へ出力する場合と、高周波増幅器１０６から入力した受信信号をスイッチ３０１へ出力する場合とを切り替える。具体的には、スイッチ３０２は、アンテナ切替部３０５の制御に従って端子３０２ａと端子３０２ｂを接続して、高周波増幅器１０６から出力された受信信号を直交復調器１０７へ出力する。また、スイッチ３０２は、アンテナ切替部３０５の制御に従って端子３０２ａと端子３０２ｃを接続して、高周波増幅器１０６から出力された受信信号をスイッチ３０１へ出力する。
【０１０５】
直交復調器１０７は、スイッチ３０２から入力した受信信号を、局部発振器１０３から入力した局部発振信号で直交復調して、Ｉチャネル信号とＱチャネル信号を生成する。そして、直交復調器１０７は、生成したＩチャネル信号をスイッチ１２５へ出力し、生成したＱチャネル信号をスイッチ１２６へ出力する。
【０１０６】
局部発振器１２２は、例えば位相負帰還制御系（ＰＬＬ：Phase Locked Loop）で制御される電圧制御発振器（ＶＣＯ：Voltage Controlled Oscillator）を用いた周波数シンセサイザ等の発振回路であり、局部発振信号を直交復調器１２４へ出力する。また、局部発振器１２２は、スリープ制御部３０３の制御に従って間欠的に動作する。
【０１０７】
高周波増幅器１２３は、アンテナ１２１から入力した受信信号を増幅して直交復調器１２４へ出力する。また、高周波増幅器１２３は、スリープ制御部３０３の制御に従って間欠的に動作する。
【０１０８】
直交復調器１２４は、高周波増幅器１２３から入力した受信信号を、局部発振器１２２から入力した局部発振信号で直交復調して、Ｉチャネル信号とＱチャネル信号を生成する
。そして、直交復調器１２４は、生成したＩチャネル信号をスイッチ１２５へ出力し、生成したＱチャネル信号をスイッチ１２６へ出力する。また、直交復調器１２４は、スリープ制御部３０３の制御に従って間欠的に動作する。なお、本実施の形態において、局部発振器１２２、高周波増幅器１２３及び直交復調器１２４の全てを間欠的に動作させたが、本発明はこれに限らず、局部発振器１２２、高周波増幅器１２３及び直交復調器１２４の何れか２つまたは１つを間欠的に動作させても良い。
【０１０９】
スリープ制御部３０３は、例えばタイマを内蔵し、タイマで計測した所定時間だけ無線部１５４が間欠的に動作して間欠的に無線処理を行うように、無線部１５４を制御する。また、スリープ制御部３０３は、無線部１５４の動作を停止させるタイミングをＤＴＶ／ＧＰＳ切替え制御部１３１に通知する。
【０１１０】
ＤＴＶ／ＧＰＳ切替え制御部１３１は、スリープ制御部３０３から受け取った無線部１５４の動作を停止させるタイミングの通知に基づいて、スイッチ１２５、スイッチ１２６及びスイッチ１３０の切り替えを制御する。具体的には、ＤＴＶ／ＧＰＳ切替え制御部１３１は、無線部１５４において無線処理を行う期間である無線処理実行期間内において、直交復調器１２４から出力される受信信号がポリフェイズフィルタ１２７に入力するとともに、直交復調器１０７から出力される受信信号がポリフェイズフィルタ１２７に入力しないようにスイッチ１２５及びスイッチ１２６の切り替えを制御する。また、ＤＴＶ／ＧＰＳ切替え制御部１３１は、無線部１５４において無線処理を停止する期間である無線処理停止期間内において、直交復調器１０７から出力される受信信号がポリフェイズフィルタ１２７に入力するとともに、直交復調器１２４から出力される受信信号がポリフェイズフィルタ１２７に入力しないようにスイッチ１２５及びスイッチ１２６の切り替えを制御する。なお、無線処理実行期間は、ＧＰＳ信号の受信期間と同一タイミングであり、無線処理停止期間は、ＧＰＳ信号の受信停止期間と同一タイミングである。
【０１１１】
低周波増幅器１１０は、フィルタ１０９から入力した信号を増幅してＤＴＶ−ＯＦＤＭ復調部１１１及び受信品質測定部３０４へ出力する。
【０１１２】
低周波増幅器１２９は、フィルタ１２８から入力した信号を増幅してスイッチ１３０及び受信品質測定部３０４へ出力する。
【０１１３】
受信品質測定部３０４は、低周波増幅器１１０から入力した信号の受信品質を測定するとともに、低周波増幅器１２９から入力した信号の受信品質を測定する。そして、受信品質測定部３０４は、測定結果をアンテナ切替部３０５へ出力する。
【０１１４】
アンテナ切替部３０５は、受信品質測定部３０４から入力した測定結果に基づいて、スイッチ３０１及びスイッチ３０２の切り替えを制御する。具体的には、アンテナ切替部３０５は、低周波増幅器１１０から入力した信号の受信品質が低周波増幅器１２９から入力した信号の受信品質よりも良好な場合には、スイッチ３０１の端子３０１ａと端子３０１ｃを閉じた状態にし、スイッチ３０２の端子３０２ａと端子３０２ｂを閉じた状態にする。また、アンテナ切替部３０５は、低周波増幅器１２９から入力した信号の受信品質が低周波増幅器１１０から入力した信号の受信品質よりも良好な場合には、スイッチ３０１の端子３０１ｂと端子３０１ｃを閉じた状態にし、スイッチ３０２の端子３０２ａと端子３０２ｃを閉じた状態にする。
【０１１５】
次に、無線受信装置３００の動作について説明する。
【０１１６】
最初に、ＤＴＶ放送信号とＧＰＳ信号を同時に受信する場合において、ＧＰＳ信号を間欠的に受信する際のＧＰＳ信号の受信期間中の無線受信装置３００の動作について、図３
を用いて説明する。
【０１１７】
まず、アンテナ１０１は、ＤＴＶ放送信号を受信する。
【０１１８】
次に、高周波増幅器１０４は、アンテナ１０１で受信した受信信号を増幅する。
【０１１９】
また、スイッチ３０１は、アンテナ切替部３０５の制御により端子３０１ａと端子３０１ｃが閉じた状態である。これにより、高周波増幅器１０４で増幅された受信信号は、スイッチ３０１の端子３０１ａ及び端子３０１ｃを経由して直交復調器１０５へ入力する。
【０１２０】
次に、直交復調器１０５は、受信信号を局部発振信号で直交復調して、Ｉチャネル信号とＱチャネル信号を生成する。
【０１２１】
次に、ポリフェイズフィルタ１０８は、Ｉチャネル信号とＱチャネル信号の２系統の信号を１系統の信号に合成する。
【０１２２】
次に、フィルタ１０９は、合成した信号を帯域制限する。
【０１２３】
次に、低周波増幅器１１０は、帯域制限した信号を増幅する。
【０１２４】
次に、ＤＴＶ−ＯＦＤＭ復調部１１１は、低周波増幅器１１０から入力した信号をＯＦＤＭ復調する。
【０１２５】
次に、ＤＴＶ復号部１１３は、ＯＦＤＭ復調した信号を復号してＤＴＶ放送データを取得する。
【０１２６】
また、アンテナ１０２は、ＤＴＶ放送信号を受信する。
【０１２７】
次に、高周波増幅器１０６は、アンテナ１０２で受信した受信信号を増幅する。
【０１２８】
次に、スイッチ３０２は、アンテナ切替部３０５の制御により端子３０２ａと端子３０２ｂが閉じた状態であり、これにより、高周波増幅器１０６で増幅された受信信号はスイッチ３０２の端子３０２ａ及び端子３０２ｂを経由して直交復調器１０７へ入力する。
【０１２９】
次に、直交復調器１０７は、増幅された受信信号を局部発振信号で直交復調して、Ｉチャネル信号とＱチャネル信号を生成する。
【０１３０】
ここで、直交復調器１０７が生成したＩチャネル信号はスイッチ１２５に出力される。しかしながら、スイッチ１２５の端子１２５ｂと端子１２５ｃは開いた状態であるため、Ｉチャネル信号がポリフェイズフィルタ１２７に入力することはない。この際、消費電力削減のため、高周波増幅器１０６と直交復調器１０７の電源をオフにしても良い。
【０１３１】
また、同様に、直交復調器１０７が生成したＱチャネル信号はスイッチ１２６に出力される。しかしながら、スイッチ１２６の端子１２６ｂと端子１２６ｃは開いた状態であるため、Ｑチャネル信号がポリフェイズフィルタ１２７に入力することはない。この際、消費電力削減のため、高周波増幅器１０６と直交復調器１０７の電源をオフにしても良い。
【０１３２】
一方、アンテナ１２１は、ＧＰＳ衛星から送信されたＧＰＳ信号を受信する。
【０１３３】
次に、高周波増幅器１２３は、アンテナ１２１で受信した受信信号を増幅する。
【０１３４】
次に、直交復調器１２４は、増幅された受信信号を局部発振信号で直交復調して、Ｉチャネル信号とＱチャネル信号を生成する。
【０１３５】
次に、スイッチ１２５は、ＤＴＶ／ＧＰＳ切替え制御部１３１の指示により端子１２５ａと端子１２５ｂが閉じた状態であり、これにより、直交復調器１２４で生成されたＩチャネル信号はスイッチ１２５の端子１２５ａ及び端子１２５ｂを経由してポリフェイズフィルタ１２７へ入力する。
【０１３６】
また、スイッチ１２６は、ＤＴＶ／ＧＰＳ切替え制御部１３１の指示により端子１２６ａと端子１２６ｂが閉じた状態であり、これにより、直交復調器１２４で生成されたＱチャネル信号はスイッチ１２６の端子１２６ａ及び端子１２６ｂを経由してポリフェイズフィルタ１２７へ入力する。
【０１３７】
次に、ポリフェイズフィルタ１２７は、Ｉチャネル信号とＱチャネル信号の２系統の信号を１系統の信号に合成する。
【０１３８】
次に、フィルタ１２８は、合成した信号を帯域制限する。
【０１３９】
次に、低周波増幅器１２９は、帯域制限した信号を増幅する。
【０１４０】
また、スイッチ１３０は、ＤＴＶ／ＧＰＳ切替え制御部１３１の指示により端子１３０ａと端子１３０ｂが閉じた状態である。これにより、低周波増幅器１２９で増幅された信号は、スイッチ１３０の端子１３０ａ及び端子１３０ｂを経由してＧＰＳ復調部１１２に入力する。
【０１４１】
また、ＧＰＳ復調部１１２は、スイッチ１３０から入力した信号を復調する。
【０１４２】
次に、ＧＰＳ復号部１１４は、復調した信号を復号して位置データを取得する。
【０１４３】
以上で、図３を用いた無線受信装置３００の動作の説明を終了する。
【０１４４】
次に、ＤＴＶ放送信号とＧＰＳ信号を同時に受信する場合において、ＧＰＳ信号を間欠的に受信する際のＧＰＳ信号の受信停止期間中の無線受信装置３００の動作について、図４を用いて説明する。
【０１４５】
図４は、ＤＴＶ放送信号とＧＰＳ信号を同時に受信する場合において、ＧＰＳ信号を間欠的に受信する際のＧＰＳ信号の受信停止期間中の無線受信装置３００の構成を示すブロック図である。なお、図４は図３と同一構成であるので、図４において、図３と同一構成の部分に同一番号を付してその説明を省略する。
【０１４６】
図４において、無線受信装置３００は、ＧＰＳ信号の受信停止期間中にＤＴＶ放送信号をダイバー受信し、受信品質の良好なアンテナを決定する動作を行う。
【０１４７】
まず、アンテナ１０１は、ＤＴＶ放送信号を受信する。
【０１４８】
次に、高周波増幅器１０４は、アンテナ１０１で受信した受信信号を増幅する。
【０１４９】
次に、スイッチ３０１は、アンテナ切替部３０５の制御により端子３０１ａと端子３０１ｃが閉じた状態であり、これにより、高周波増幅器１０４で増幅された受信信号はスイ
ッチ３０１の端子３０１ａ及び端子３０１ｃを経由して直交復調器１０５へ入力する。
【０１５０】
次に、直交復調器１０５は、受信信号を局部発振信号で直交復調して、Ｉチャネル信号とＱチャネル信号を生成する。
【０１５１】
次に、ポリフェイズフィルタ１０８は、Ｉチャネル信号とＱチャネル信号の２系統の信号を１系統の信号に合成する。
【０１５２】
次に、フィルタ１０９は、合成した信号を帯域制限する。
【０１５３】
次に、低周波増幅器１１０は、帯域制限した信号を増幅する。
【０１５４】
次に、ＤＴＶ−ＯＦＤＭ復調部１１１は、低周波増幅器１１０から入力した信号と、スイッチ１３０から入力した信号をダイバーシチ合成するとともにＯＦＤＭ復調する。
【０１５５】
次に、ＤＴＶ復号部１１３は、ＯＦＤＭ復調した信号を復号してＤＴＶ放送データを取得する。
【０１５６】
また、アンテナ１０２は、ＤＴＶ放送信号を受信する。
【０１５７】
次に、高周波増幅器１０６は、アンテナ１０２で受信した受信信号を増幅する。
【０１５８】
また、スイッチ３０２は、アンテナ切替部３０５の制御により端子３０２ａと端子３０２ｂが閉じた状態である。これにより、高周波増幅器１０６で増幅された受信信号は、スイッチ３０２の端子３０２ａ及び端子３０２ｂを経由して直交復調器１０７へ入力する。
【０１５９】
次に、直交復調器１０７は、増幅された受信信号を局部発振信号で直交復調して、Ｉチャネル信号とＱチャネル信号を生成する。
【０１６０】
次に、スイッチ１２５は、ＤＴＶ／ＧＰＳ切替え制御部１３１の指示により端子１２５ｃと端子１２５ｂが閉じた状態であり、これにより、直交復調器１０７で生成されたＩチャネル信号はスイッチ１２５の端子１２５ｃ及び端子１２５ｂを経由してポリフェイズフィルタ１２７へ入力する。
【０１６１】
また、スイッチ１２６は、ＤＴＶ／ＧＰＳ切替え制御部１３１の指示により端子１２６ｃと端子１２６ｂが閉じた状態である。これにより、直交復調器１０７で生成されたＱチャネル信号は、スイッチ１２６の端子１２６ｃ及び端子１２６ｂを経由してポリフェイズフィルタ１２７へ入力する。
【０１６２】
次に、ポリフェイズフィルタ１２７は、Ｉチャネル信号とＱチャネル信号の２系統の信号を１系統の信号に合成する。
【０１６３】
次に、フィルタ１２８は、合成した信号を帯域制限する。
【０１６４】
次に、低周波増幅器１２９は、帯域制限した信号を増幅する。
【０１６５】
また、スイッチ１３０は、ＤＴＶ／ＧＰＳ切替え制御部１３１の指示により端子１３０ａと端子１３０ｃが閉じた状態である。これにより、低周波増幅器１２９で増幅された信号は、スイッチ１３０の端子１３０ａ及び端子１３０ｃを経由してＤＴＶ−ＯＦＤＭ復調部１１１へ入力する。
【０１６６】
次に、ＤＴＶ−ＯＦＤＭ復調部１１１は、低周波増幅器１１０から入力した信号と、スイッチ１３０から入力した信号をダイバーシチ合成するとともにＯＦＤＭ復調する。
【０１６７】
次に、ＤＴＶ復号部１１３は、ＯＦＤＭ復調した信号を復号してＤＴＶ放送データを取得する。
【０１６８】
また、受信品質測定部３０４は、低周波増幅器１１０から入力した信号の受信品質及び低周波増幅器１２９から入力した信号の受信品質を測定する。
【０１６９】
次に、アンテナ切替部３０５は、受信品質測定部３０４における受信品質の測定結果に基づいて、アンテナ１０１とアンテナ１０２の内で、受信品質が良好な方のアンテナを決定して記憶する。なお、アンテナ切替部３０５は、図４の場合、スイッチ３０１及びスイッチ３０２の開閉を制御しないので、ＤＴＶ放送信号はアンテナ１０１とアンテナ１０２によりダイバー受信される。
【０１７０】
以上で、図４を用いた無線受信装置３００の動作の説明を終了する。
【０１７１】
次に、ＤＴＶ放送信号とＧＰＳ信号を同時に受信する場合において、ＧＰＳ信号を間欠的受信する際のＧＰＳ信号の受信期間中の無線受信装置３００の動作について、図５を用いて説明する。
【０１７２】
図５は、ＤＴＶ放送信号とＧＰＳ信号を同時に受信する場合において、ＧＰＳ信号を間欠的受信する際のＧＰＳ信号の受信期間中の無線受信装置３００の構成を示すブロック図である。なお、図５は図３と同一構成であるので、図５において、図３と同一構成の部分に同一番号を付してその説明を省略する。
【０１７３】
また、図５は、図４において、アンテナ切替部３０５がアンテナ１０１で受信したＤＴＶ放送信号の受信品質よりもアンテナ１０２で受信したＤＴＶ放送信号の受信品質の方が良好であると判断し、ＧＰＳ信号の受信停止期間から受信期間に移行した場合を示すものである。
【０１７４】
まず、アンテナ１０１は、ＤＴＶ放送信号を受信する。
【０１７５】
次に、高周波増幅器１０４は、アンテナ１０１で受信した受信信号を増幅する。
【０１７６】
ここで、高周波増幅器１０４が増幅した受信信号はスイッチ３０１に出力される。しかしながら、スイッチ３０１の端子３０１ａと端子３０１ｃは開いた状態であるため、受信信号が直交復調器１０５に入力することはない。この際、消費電力削減のため、高周波増幅器１０６と直交復調器１０７の電源をオフにしても良い。
【０１７７】
また、アンテナ１０２は、ＤＴＶ放送信号を受信する。
【０１７８】
次に、高周波増幅器１０６は、アンテナ１０２で受信した受信信号を増幅する。
【０１７９】
次に、アンテナ切替部３０５は、最も受信品質が良好なアンテナとしてアンテナ１０２を記憶しているため、スイッチ３０２に対して、端子３０２ａと端子３０２ｃとを接続する制御を行う。そして、スイッチ３０２は、アンテナ切替部３０５の制御により端子３０２ａと端子３０２ｃが閉じた状態になる。これにより、高周波増幅器１０６で増幅された受信信号は、スイッチ３０２の端子３０２ａ及び端子３０２ｃを経由してスイッチ３０１
に入力する。
【０１８０】
次に、アンテナ切替部３０５は、最も受信品質が良好なアンテナとしてアンテナ１０２を記憶しているため、スイッチ３０１に対して、端子３０１ｂと端子３０１ｃとを接続する制御を行う。そして、スイッチ３０１は、アンテナ切替部３０５の制御により端子３０１ｂと端子３０１ｃが閉じた状態になる。これにより、スイッチ３０２から入力した受信信号は、スイッチ３０１の端子３０１ｂ及び端子３０１ｃを経由して直交復調器１０５に入力する。
【０１８１】
次に、直交復調器１０５は、増幅された受信信号を局部発振信号で直交復調して、Ｉチャネル信号とＱチャネル信号を生成する。
【０１８２】
次に、ポリフェイズフィルタ１０８は、Ｉチャネル信号とＱチャネル信号の２系統の信号を１系統の信号に合成する。
【０１８３】
次に、フィルタ１０９は、合成した信号を帯域制限する。
【０１８４】
次に、低周波増幅器１１０は、帯域制限した信号を増幅する。
【０１８５】
次に、ＤＴＶ−ＯＦＤＭ復調部１１１は、低周波増幅器１１０から入力した信号をＯＦＤＭ復調する。
【０１８６】
次に、ＤＴＶ復号部１１３は、ＯＦＤＭ復調した信号を復号してＤＴＶ放送データを取得する。
【０１８７】
一方、アンテナ１２１は、ＧＰＳ衛星から送信されたＧＰＳ信号を受信する。
【０１８８】
次に、高周波増幅器１２３は、アンテナ１２１で受信した受信信号を増幅する。
【０１８９】
次に、直交復調器１２４は、増幅された受信信号を局部発振信号で直交復調して、Ｉチャネル信号とＱチャネル信号を生成する。
【０１９０】
また、スイッチ１２５は、ＤＴＶ／ＧＰＳ切替え制御部１３１の指示により端子１２５ａと端子１２５ｂが閉じた状態である。これにより、直交復調器１２４で生成されたＩチャネル信号は、スイッチ１２５の端子１２５ａ及び端子１２５ｂを経由してポリフェイズフィルタ１２７へ入力する。
【０１９１】
また、スイッチ１２６は、ＤＴＶ／ＧＰＳ切替え制御部１３１の指示により端子１２６ａと端子１２６ｂが閉じた状態である。これにより、直交復調器１２４で生成されたＱチャネル信号は、スイッチ１２６の端子１２６ａ及び端子１２６ｂを経由してポリフェイズフィルタ１２７へ入力する。
【０１９２】
次に、ポリフェイズフィルタ１２７は、Ｉチャネル信号とＱチャネル信号の２系統の信号を１系統の信号に合成する。
【０１９３】
次に、フィルタ１２８は、合成した信号を帯域制限する。
【０１９４】
次に、低周波増幅器１２９は、帯域制限した信号を増幅する。
【０１９５】
また、スイッチ１３０は、ＤＴＶ／ＧＰＳ切替え制御部１３１の指示により端子１３０
ａと端子１３０ｂが閉じた状態である。これにより、低周波増幅器１２９で増幅された信号はスイッチ１３０の端子１３０ａ及び端子１３０ｂを経由してＧＰＳ復調部１１２に入力する。
【０１９６】
また、ＧＰＳ復調部１１２は、スイッチ１３０から入力した信号を復調する。
【０１９７】
次に、ＧＰＳ復号部１１４は、復調した信号を復号して位置データを取得する。
【０１９８】
このように、本実施の形態によれば、上記実施の形態１の効果に加えて、ＧＰＳ信号を間欠受信する場合において、ＧＰＳ信号の受信停止期間中に、ＧＰＳ信号の増幅及び帯域制限を行っているＩＦ部を用いて、受信したＤＴＶ放送信号の処理を実行するので、ＧＰＳ信号を受信しながら、受信品質の良好なアンテナを選択することができ、ＤＴＶ放送の画像を劣化させることなく表示することができる。
【０１９９】
（実施の形態３）
図６は、本発明の実施の形態３に係る無線受信装置６００の構成を示すブロック図である。
【０２００】
図６に示す無線受信装置６００は、図５に示す実施の形態２に係る無線受信装置３００に対して、フィルタ６０１及び低周波増幅器６０２を追加する。なお、図６において、図５と同一構成である部分には同一の符号を付してその説明を省略する。
【０２０１】
無線受信装置６００は、アンテナ１０１、アンテナ１０２、アンテナ１２１、スイッチ１２５、スイッチ１２６、スイッチ１３０、復調部１５２、復号部１５３、無線部１５４、ＩＦ部１５５、無線部３５１、制御部３５２、受信品質測定部３０４、アンテナ切替部３０５及びＩＦ部６５１から主に構成される。
【０２０２】
ＩＦ部６５１は、ポリフェイズフィルタ１０８、フィルタ６０１、低周波増幅器６０２、フィルタ１０９及び低周波増幅器１１０を含む。
【０２０３】
ポリフェイズフィルタ１０８は、直交復調器１０５から入力したＩチャネル信号とＱチャネル信号からなる２系列の信号を１系列の信号に合成して、フィルタ６０１へ出力する。
【０２０４】
フィルタ６０１は、ポリフェイズフィルタ１０８から入力した信号を帯域制限する。
【０２０５】
低周波増幅器６０２は、フィルタ６０１から入力した信号を増幅する。
【０２０６】
フィルタ１０９は、低周波増幅器６０２から入力した信号を帯域制限して低周波増幅器１１０へ出力する。
【０２０７】
なお、無線受信装置６００の動作は、ＩＦ部６５１において、複数の段数において帯域制限及び増幅を行う以外は図３〜図５と同一であるので、その説明を省略する。
【０２０８】
このように、本実施の形態によれば、上記実施の形態２の効果に加えて、ＤＴＶ放送信号専用のＩＦ部における帯域制限及び増幅の処理段数を、ＤＴＶ放送信号及びＧＰＳ信号で兼用するＩＦ部おける帯域制限及び増幅の処理段数よりも多くした。これにより、処理段数の多いＩＦ部において各ブランチのＤＴＶ放送信号の受信処理を実行することにより、ＤＴＶ放送の画像を高画質で表示することができる。
【０２０９】
なお、本実施の形態において、フィルタと低周波増幅器を同じ段数にしたが、本発明はこれに限らず、フィルタと低周波増幅器を異なる段数にしても良い。
【０２１０】
上記実施の形態１〜実施の形態３において、ＤＴＶ放送信号とＧＰＳ信号を同時受信する場合について説明したが、本発明はこれに限らず、任意の複数の異なる通信システムを同時受信する場合にも適用することができる。また、上記実施の形態１〜実施の形態３において、ＤＴＶ放送信号を受信する場合について説明したが、本発明はこれに限らず、アナログテレビ放送信号を受信する場合にも適用することができる。また、上記実施の形態１〜実施の形態３において、ＤＴＶ放送信号を２本のアンテナでダイバーシチ受信することにしたが、本発明はこれに限らず、ＤＴＶ放送信号を３本以上の任意の本数のアンテナでダイバーシチ受信しても良い。
【０２１１】
２００８年８月５日出願の特願２００８−２０２０９１の日本出願に含まれる明細書、図面および要約書の開示内容は、すべて本願に援用される。
【産業上の利用可能性】
【０２１２】
本発明にかかる無線受信装置は、例えばディジタルテレビ放送信号とＧＰＳ信号を同時に受信するのに好適である。
【図面の簡単な説明】
【０２１３】
【図１】本発明の実施の形態１に係るＤＴＶ放送信号をダイバーシチ受信する場合の無線受信装置の構成を示すブロック図
【図２】本発明の実施の形態１に係るＤＴＶ放送信号とＧＰＳ信号を同時に受信する場合の無線受信装置の構成を示すブロック図
【図３】本発明の実施の形態２に係るＤＴＶ放送信号とＧＰＳ信号を同時に受信する場合において、アンテナ切り替え前のＧＰＳ信号の受信期間中の無線受信装置の構成を示すブロック図
【図４】本発明の実施の形態２に係るＤＴＶ放送信号とＧＰＳ信号を同時に受信する場合において、ＧＰＳ信号の受信停止期間中の無線受信装置の構成を示すブロック図
【図５】本発明の実施の形態２に係るＤＴＶ放送信号とＧＰＳ信号を同時に受信する場合において、アンテナ切り替え後のＧＰＳ信号の受信期間中の無線受信装置の構成を示すブロック図
【図６】本発明の実施の形態３に係るＤＴＶ放送信号とＧＰＳ信号を同時に受信する場合において、アンテナ切り替え後のＧＰＳ信号の受信期間中の無線受信装置の構成を示すブロック図
【手続補正３】
【補正対象書類名】図面
【補正対象項目名】全図
【補正方法】変更
【補正の内容】
【図１】
2010016165.tif 000009
【図２】
2010016165.tif 000010
【図３】
2010016165.tif 000011
【図４】
2010016165.tif 000012
【図５】
2010016165.tif 000013
【図６】
2010016165.tif 000014
【国際調査報告】
2010016165.tif 000015
2010016165.tif 000016
2010016165.tif 000017
2010016165.tif 000018